(57)【特許請求の範囲】
【請求項１】
（１）端末設備が基地局により発送した制御シグナルを受信し、前記制御シグナルが前記端末設備に、信号チャネル状態情報フィードバックを行うよう通知し、信号チャネル状態情報フィードバックで採用されるフィードバックモードを通知することと、
（２）前記端末設備が、デフォルトのプリコーディング・マトリックスの集合を圧縮することで得られる圧縮後のプリコーディング・マトリックス集合でRI値とプリコーディング・マトリックスとを確定し、デフォルトのプリコーディング・マトリックス指示情報と、前記デフォルトのプリコーディング・マトリックスに対応付けられた原始コードブックでのコードブック索引との対応関係によって、前記確定されたプリコーディング・マトリックスに対応する前記デフォルトのプリコーディング・マトリックスに対応付けられた前記原始コードブックでのコードブック索引に対応するプリコーディング・マトリックス指示情報の値を確定することと、
（３）前記端末設備が前記フィードバックモードによって、確定された前記RI値と前記プリコーディング・マトリックス指示情報の値とを前記基地局に発送することと、
を含み、
前記端末設備が前記圧縮後のプリコーディング・マトリックス集合でRI値とプリコーディング・マトリックスとを確定し、前記デフォルトのプリコーディング・マトリックス指示情報と前記原始コードブックでのコードブック索引との対応関係によって、前記確定されたプリコーディング・マトリックスに対応するプリコーディング・マトリックス指示情報の値を確定することは、具体的に、
（４）前記端末設備が確定する必要のあるプリコーディング・マトリックス指示情報が具体的に第一プリコーディング・マトリックス指示情報と第二プリコーディング・マトリックス指示情報とを含む場合、前記端末設備がRI値、それにデフォルトの第一プリコーディング・マトリックス指示情報及び第二プリコーディング・マトリックス指示情報と原始コードブックでの二つのコードブック索引ｉ１及びｉ２との対応関係によって、第一プリコーディング・マトリックス指示情報と第二プリコーディング・マトリックス指示情報との値を確定すること、又は、
（５）前記端末設備が確定する必要のあるプリコーディング・マトリックス指示情報が具体的に一つのプリコーディング・マトリックス指示情報である場合、前記端末設備がRI値、それに前記デフォルトのプリコーディング・マトリックス指示情報と原始コードブックでの二つのコードブック索引から構成したコードブック索引対（ｉ１，ｉ２）との対応関係によって、プリコーディング・マトリックス指示情報の値を確定すること、又は、
（６）前記端末設備が確定する必要のあるプリコーディング・マトリックス指示情報が具体的に第一プリコーディング・マトリックス指示情報と第二プリコーディング・マトリックス指示情報を含む場合、前記端末設備がRI値、それにデフォルトの第一プリコーディング・マトリックス指示情報及び第二プリコーディング・マトリックス指示情報から構成したプリコーディング・マトリックス指示情報対と原始コードブックでの二つのコードブック索引から構成したコードブック索引対（ｉ１，ｉ２）との対応関係によって、第一プリコーディング・マトリックス指示情報と第二プリコーディング・マトリックス指示情報との値を確定すること、又は、
（７）前記端末設備が確定する必要のあるプリコーディング・マトリックス指示情報が具体的に一つのプリコーディング・マトリックス指示情報である場合、前記端末設備がRI値、それに前記デフォルトのプリコーディング・マトリックス指示情報と原始コードブックでの二つのコードブック索引ｉ１及びｉ２との対応関係によって、プリコーディング・マトリックス指示情報の値を確定すること、を含み、
前記端末設備により確定されたRI値が１である場合、前記端末設備が第一プリコーディング・マトリックス指示情報と第二プリコーディング・マトリックス指示情報の値の根拠とするデフォルトの第一プリコーディング・マトリックス指示情報及び第二プリコーディング・マトリックス指示情報と原始コードブックでの二つのコードブック索引ｉ１及びｉ２との対応関係を確定することは、具体的に、
（１）第一プリコーディング・マトリックス指示情報の値ｉ１∈｛０，１，・・・，７｝が原始Rank 1コードブックでのコードブック索引
【数１】
0005945765.tif 000059
に対応し、第二プリコーディング・マトリックス指示情報の値ｉ２∈｛０，１，・・・，１５｝が原始Rank 1コードブックでのコードブック索引ｉ２に対応すること、又は、
（２）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１，・・・，１５｝が原始Rank 1コードブックでのコードブック索引ｉ２に対応すること、又は、
（３）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１，・・・，７｝が原始Rank 1コードブックでのコードブック索引ｉ２に対応すること、又は、
（４）第一プリコーディング・マトリックス指示情報の値ｉ１∈｛０，１，・・・，１５｝が原始Rank 1コードブックでのコードブック索引ｉ１に対応し、それに、第二プリコーディング・マトリックス指示情報の値がｉ２∈｛０，１，２，３｝である場合、原始Rank 1コードブックでのコードブック索引ｉ２に対応し、第二プリコーディング・マトリックス指示情報の値がｉ２∈｛４，５，６，７｝である場合、原始Rank 1コードブックでのコードブック索引ｉ２＋８に対応すること、又は、
（５）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１，・・・，７｝が原始Rank 1コードブックでのコードブック索引ｉ２＋４に対応すること、又は、
（６）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１，・・・，７｝が原始Rank 1コードブックでのコードブック索引ｉ２＋８に対応すること、又は、
（７）第一プリコーディング・マトリックス指示情報の値ｉ１∈｛０，１，・・・，７｝が原始Rank 1コードブックでのコードブック索引
【数２】
0005945765.tif 000060
に対応し、第二プリコーディング・マトリックス指示情報の値ｉ２∈｛０，１｝が原始Rank 1コードブックでのコードブック索引２ｉ２に対応すること、又は、
（８）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引２ｉ２に対応すること、又は、
（９）第一プリコーディング・マトリックス指示情報の値ｉ１∈｛０，１，・・・，７｝が原始Rank 1コードブックでのコードブック索引
【数３】
0005945765.tif 000061
に対応し、第二プリコーディング・マトリックス指示情報の値ｉ２∈｛０，１｝が原始Rank 1コードブックでのコードブック索引２ｉ２＋４に対応すること、又は、
（１０）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引２ｉ２＋４に対応すること、又は、
（１１）第一プリコーディング・マトリックス指示情報の値ｉ１∈｛０，１，・・・，７｝が原始Rank 1コードブックでのコードブック索引
【数４】
0005945765.tif 000062
に対応し、第二プリコーディング・マトリックス指示情報の値ｉ２∈｛０，１｝が原始Rank 1コードブックでのコードブック索引２ｉ２＋８に対応すること、又は、
（１２）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引２ｉ２＋８に対応すること、又は、
（１３）第一プリコーディング・マトリックス指示情報の値ｉ１∈｛０，１，・・・，７｝が原始Rank 1コードブックでのコードブック索引
【数５】
0005945765.tif 000063
に対応し、第二プリコーディング・マトリックス指示情報の値ｉ２∈｛０，１｝が原始Rank 1コードブックでのコードブック索引２ｉ２＋１２に対応すること、又は、
（１４）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引２ｉ２＋１２に対応すること、又は、
（１５）第一プリコーディング・マトリックス指示情報の値ｉ１∈｛０，１，・・・，７｝が原始Rank 1コードブックでのコードブック索引
【数６】
0005945765.tif 000064
に対応し、それに第二プリコーディング・マトリックス指示情報の値がｉ２∈｛０，１｝である場合、原始Rank 1コードブックでのコードブック索引２ｉ２に対応し、第二プリコーディング・マトリックス指示情報の値がｉ２∈｛３，４｝である場合、原始Rank 1コードブックでのコードブック索引２ｉ２＋５に対応すること、又は、
（１６）第一プリコーディング・マトリックス指示情報の値ｉ１∈｛０，１，・・・，７｝が原始Rank 1コードブックでのコードブック索引２ｉ１に対応し、それに第二プリコーディング・マトリックス指示情報の値がｉ２∈｛０，１｝である場合、原始Rank 1コードブックでのコードブック索引２ｉ２に対応し、第二プリコーディング・マトリックス指示情報の値がｉ２∈｛３，４｝である場合、原始Rank 1コードブックでのコードブック索引２ｉ２＋５に対応すること、又は、
（１７）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１｝が原始Rank 1コードブックでのコードブック索引２ｉ２に対応すること、又は、
（１８）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１｝が原始Rank 1コードブックでのコードブック索引８＋２ｉ２に対応すること、又は、
（１９）第一プリコーディング・マトリックス指示情報の値ｉ１∈｛０，１，・・・，７｝が原始Rank 1コードブックでのコードブック索引
【数７】
0005945765.tif 000065
に対応し、それに、第二プリコーディング・マトリックス指示情報の値がｉ２∈｛０，１｝である場合、原始Rank 1コードブックでのコードブック索引２ｉ２に対応し、第二プリコーディング・マトリックス指示情報の値がｉ２∈｛２，３｝である場合、原始Rank 1コードブックでのコードブック索引８＋２ｉ２に対応すること、又は
（２０）第一プリコーディング・マトリックス指示情報の値ｉ１∈｛０，１，・・・，７｝が原始Rank 1コードブックでのコードブック索引２ｉ１に対応し、それに、第二プリコーディング・マトリックス指示情報の値がｉ２∈｛０，１｝である場合、原始Rank 1コードブックでのコードブック索引２ｉ２に対応し、第二プリコーディング・マトリックス指示情報の値がｉ２∈｛２，３｝である場合、原始Rank 1コードブックでのコードブック索引８＋２ｉ２に対応すること、又は
（２１）第一プリコーディング・マトリックス指示情報の値ｉ１∈｛０，１，・・・，７｝が原始Rank 1コードブックでのコードブック索引
【数８】
0005945765.tif 000066
に対応し、第二プリコーディング・マトリックス指示情報の値ｉ２∈｛０，１｝が原始Rank 1コードブックでのコードブック索引８ｉ２に対応すること、又は、
（２２）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引８ｉ２に対応すること、又は、
（２３）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２＝０が原始Rank 1コードブックでのコードブック索引ｉ２＝０に対応すること（その中で、
【数９】
0005945765.tif 000067
が
【数１０】
0005945765.tif 000068
以下の最大整数を表す）、
を含むことを特徴とする信号チャネル状態情報の伝送方法。
【請求項２】
（１）端末設備が基地局により発送した制御シグナルを受信し、前記制御シグナルが前記端末設備に、信号チャネル状態情報フィードバックを行うよう通知し、信号チャネル状態情報フィードバックで採用されるフィードバックモードを通知することと、
（２）前記端末設備が、デフォルトのプリコーディング・マトリックスの集合を圧縮することで得られる圧縮後のプリコーディング・マトリックス集合でRI値とプリコーディング・マトリックスとを確定し、デフォルトのプリコーディング・マトリックス指示情報と、前記デフォルトのプリコーディング・マトリックスに対応付けられた原始コードブックでのコードブック索引との対応関係によって、前記確定されたプリコーディング・マトリックスに対応する前記デフォルトのプリコーディング・マトリックスに対応付けられた前記原始コードブックでのコードブック索引に対応するプリコーディング・マトリックス指示情報の値を確定することと、
（３）前記端末設備が前記フィードバックモードによって、確定された前記RI値と前記プリコーディング・マトリックス指示情報の値とを前記基地局に発送することと、
を含み、
前記端末設備が前記圧縮後のプリコーディング・マトリックス集合でRI値とプリコーディング・マトリックスとを確定し、前記デフォルトのプリコーディング・マトリックス指示情報と前記原始コードブックでのコードブック索引との対応関係によって、前記確定されたプリコーディング・マトリックスに対応するプリコーディング・マトリックス指示情報の値を確定することは、具体的に、
（４）前記端末設備が確定する必要のあるプリコーディング・マトリックス指示情報が具体的に第一プリコーディング・マトリックス指示情報と第二プリコーディング・マトリックス指示情報とを含む場合、前記端末設備がRI値、それにデフォルトの第一プリコーディング・マトリックス指示情報及び第二プリコーディング・マトリックス指示情報と原始コードブックでの二つのコードブック索引ｉ１及びｉ２との対応関係によって、第一プリコーディング・マトリックス指示情報と第二プリコーディング・マトリックス指示情報との値を確定すること、又は、
（５）前記端末設備が確定する必要のあるプリコーディング・マトリックス指示情報が具体的に一つのプリコーディング・マトリックス指示情報である場合、前記端末設備がRI値、それに前記デフォルトのプリコーディング・マトリックス指示情報と原始コードブックでの二つのコードブック索引から構成したコードブック索引対（ｉ１，ｉ２）との対応関係によって、プリコーディング・マトリックス指示情報の値を確定すること、又は、
（６）前記端末設備が確定する必要のあるプリコーディング・マトリックス指示情報が具体的に第一プリコーディング・マトリックス指示情報と第二プリコーディング・マトリックス指示情報を含む場合、前記端末設備がRI値、それにデフォルトの第一プリコーディング・マトリックス指示情報及び第二プリコーディング・マトリックス指示情報から構成したプリコーディング・マトリックス指示情報対と原始コードブックでの二つのコードブック索引から構成したコードブック索引対（ｉ１，ｉ２）との対応関係によって、第一プリコーディング・マトリックス指示情報と第二プリコーディング・マトリックス指示情報との値を確定すること、又は、
（７）前記端末設備が確定する必要のあるプリコーディング・マトリックス指示情報が具体的に一つのプリコーディング・マトリックス指示情報である場合、前記端末設備がRI値、それに前記デフォルトのプリコーディング・マトリックス指示情報と原始コードブックでの二つのコードブック索引ｉ１及びｉ２との対応関係によって、プリコーディング・マトリックス指示情報の値を確定すること、を含み、
前記端末設備により確定されたRI値が２である場合、前記端末設備が第一プリコーディング・マトリックス指示情報と第二プリコーディング・マトリックス指示情報の値の根拠とするデフォルトの第一プリコーディング・マトリックス指示情報及び第二プリコーディング・マトリックス指示情報と原始コードブックでの二つのコードブック索引ｉ１及びｉ２との対応関係を確定することは、具体的に、
（１）第一プリコーディング・マトリックス指示情報の値ｉ１∈｛０，１，・・・，７｝が原始Rank 2コードブックでのコードブック索引
【数１１】
0005945765.tif 000069
に対応し、第二プリコーディング・マトリックス指示情報の値ｉ２∈｛０，１｝が原始Rank 2コードブックでのコードブック索引ｉ２に対応すること、又は、
（２）第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引ｉ２に対応すること、又は、
（３）第一プリコーディング・マトリックス指示情報の値ｉ１∈｛０，１，・・・，７｝が原始Rank 2コードブックでのコードブック索引
【数１２】
0005945765.tif 000070
に対応し、第二プリコーディング・マトリックス指示情報の値ｉ２∈｛０，１｝が原始Rank 2コードブックでのコードブック索引４＋ｉ２に対応すること、又は、
（４）第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引４＋ｉ２に対応すること、又は、
（５）第一プリコーディング・マトリックス指示情報の値ｉ１∈｛０，１，・・・，７｝が原始Rank 2コードブックでのコードブック索引
【数１３】
0005945765.tif 000071
に対応し、第二プリコーディング・マトリックス指示情報の値ｉ２∈｛０，１｝が原始Rank 2コードブックでのコードブック索引４ｉ２に対応すること、又は、
（６）第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引４ｉ２に対応すること、又は、
（７）第一プリコーディング・マトリックス指示情報の値ｉ１∈｛０，１，・・・，１５｝が原始Rank 2コードブックでのコードブック索引ｉ１に対応し、第二プリコーディング・マトリックス指示情報の値ｉ２＝０が原始Rank 2コードブックでのコードブック索引ｉ２＝０に対応すること、又は、
（８）第一プリコーディング・マトリックス指示情報の値ｉ１∈｛０，１，・・・，１５｝が原始Rank 2コードブックでのコードブック索引ｉ１に対応し、第二プリコーディング・マトリックス指示情報の値ｉ２＝０が原始Rank 2コードブックでのコードブック索引ｉ２＝４に対応すること、又は、
（９）第一プリコーディング・マトリックス指示情報の値ｉ１∈｛０，１，・・・，１５｝が原始Rank 2コードブックでのコードブック索引ｉ１に対応し、第二プリコーディング・マトリックス指示情報の値ｉ２∈｛０，１，２，３｝が原始Rank 2コードブックでのコードブック索引２ｉ２に対応すること、又は、
（１０）第一プリコーディング・マトリックス指示情報の値ｉ１∈｛０，１，・・・，７｝が原始Rank 2コードブックでのコードブック索引
【数１４】
0005945765.tif 000072
に対応し、第二プリコーディング・マトリックス指示情報の値ｉ２∈｛０，１｝が原始Rank 2コードブックでのコードブック索引５ｉ２に対応すること、又は、
（１１）第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引５ｉ２に対応すること（その中で、
【数１５】
0005945765.tif 000073
が
【数１６】
0005945765.tif 000074
以下の最大整数を表す）、
を含むことを特徴とする信号チャネル状態情報の伝送方法。
【請求項３】
（１）端末設備が基地局により発送した制御シグナルを受信し、前記制御シグナルが前記端末設備に、信号チャネル状態情報フィードバックを行うよう通知し、信号チャネル状態情報フィードバックで採用されるフィードバックモードを通知することと、
（２）前記端末設備が、デフォルトのプリコーディング・マトリックスの集合を圧縮することで得られる圧縮後のプリコーディング・マトリックス集合でRI値とプリコーディング・マトリックスとを確定し、デフォルトのプリコーディング・マトリックス指示情報と、前記デフォルトのプリコーディング・マトリックスに対応付けられた原始コードブックでのコードブック索引との対応関係によって、前記確定されたプリコーディング・マトリックスに対応する前記デフォルトのプリコーディング・マトリックスに対応付けられた前記原始コードブックでのコードブック索引に対応するプリコーディング・マトリックス指示情報の値を確定することと、
（３）前記端末設備が前記フィードバックモードによって、確定された前記RI値と前記プリコーディング・マトリックス指示情報の値とを前記基地局に発送することと、
を含み、
前記端末設備が前記圧縮後のプリコーディング・マトリックス集合でRI値とプリコーディング・マトリックスとを確定し、前記デフォルトのプリコーディング・マトリックス指示情報と前記原始コードブックでのコードブック索引との対応関係によって、前記確定されたプリコーディング・マトリックスに対応するプリコーディング・マトリックス指示情報の値を確定することは、具体的に、
（４）前記端末設備が確定する必要のあるプリコーディング・マトリックス指示情報が具体的に第一プリコーディング・マトリックス指示情報と第二プリコーディング・マトリックス指示情報とを含む場合、前記端末設備がRI値、それにデフォルトの第一プリコーディング・マトリックス指示情報及び第二プリコーディング・マトリックス指示情報と原始コードブックでの二つのコードブック索引ｉ１及びｉ２との対応関係によって、第一プリコーディング・マトリックス指示情報と第二プリコーディング・マトリックス指示情報との値を確定すること、又は、
（５）前記端末設備が確定する必要のあるプリコーディング・マトリックス指示情報が具体的に一つのプリコーディング・マトリックス指示情報である場合、前記端末設備がRI値、それに前記デフォルトのプリコーディング・マトリックス指示情報と原始コードブックでの二つのコードブック索引から構成したコードブック索引対（ｉ１，ｉ２）との対応関係によって、プリコーディング・マトリックス指示情報の値を確定すること、又は、
（６）前記端末設備が確定する必要のあるプリコーディング・マトリックス指示情報が具体的に第一プリコーディング・マトリックス指示情報と第二プリコーディング・マトリックス指示情報を含む場合、前記端末設備がRI値、それにデフォルトの第一プリコーディング・マトリックス指示情報及び第二プリコーディング・マトリックス指示情報から構成したプリコーディング・マトリックス指示情報対と原始コードブックでの二つのコードブック索引から構成したコードブック索引対（ｉ１，ｉ２）との対応関係によって、第一プリコーディング・マトリックス指示情報と第二プリコーディング・マトリックス指示情報との値を確定すること、又は、
（７）前記端末設備が確定する必要のあるプリコーディング・マトリックス指示情報が具体的に一つのプリコーディング・マトリックス指示情報である場合、前記端末設備がRI値、それに前記デフォルトのプリコーディング・マトリックス指示情報と原始コードブックでの二つのコードブック索引ｉ１及びｉ２との対応関係によって、プリコーディング・マトリックス指示情報の値を確定すること、を含み、
前記端末設備で確定されたRI値が3である場合、前記端末設備が第一プリコーディング・マトリックス指示情報と第二プリコーディング・マトリックス指示情報の値の根拠とするデフォルトの第一プリコーディング・マトリックス指示情報及び第二プリコーディング・マトリックス指示情報と原始コードブックでの二つのコードブック索引ｉ１及びｉ２との対応関係を確定することは、具体的に、
（１）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引４ｉ２に対応すること、又は、
（２）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引４ｉ２＋１に対応すること、又は、
（３）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引４ｉ２＋２に対応すること、又は、
（４）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引４ｉ２＋３に対応すること、又は、
（５）第一プリコーディング・マトリックス指示情報の値ｉ１∈｛０，１｝が原始Rank 3コードブックでのコードブック索引
【数１７】
0005945765.tif 000075
に対応し、第二プリコーディング・マトリックス指示情報の値ｉ２∈｛０，１，・・・，７｝が原始Rank 3コードブックでのコードブック索引
【数１８】
0005945765.tif 000076
に対応すること、又は、
（６）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引
【数１９】
0005945765.tif 000077
に対応すること、又は、
（７）第一プリコーディング・マトリックス指示情報の値ｉ１∈｛０，１｝が原始Rank 3コードブックでのコードブック索引
【数２０】
0005945765.tif 000078
に対応し、第二プリコーディング・マトリックス指示情報の値ｉ２∈｛０，１，・・・，７｝が原始Rank 3コードブックでのコードブック索引２ｉ２に対応すること、又は、
（８）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引２ｉ２に対応すること、又は、
（９）第一プリコーディング・マトリックス指示情報の値ｉ１∈｛０，１｝が原始Rank 3コードブックでのコードブック索引
【数２１】
0005945765.tif 000079
に対応し、第二プリコーディング・マトリックス指示情報の値ｉ２∈｛０，１，・・・，７｝が原始Rank 3コードブックでのコードブック索引
【数２２】
0005945765.tif 000080
に対応すること、又は、
（１０）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引
【数２３】
0005945765.tif 000081
に対応すること、又は、
（１１）第一プリコーディング・マトリックス指示情報の値ｉ１∈｛０，１｝が原始Rank 3コードブックでのコードブック索引
【数２４】
0005945765.tif 000082
に対応し、第二プリコーディング・マトリックス指示情報の値ｉ２∈｛０，１，・・・，７｝が原始Rank 3コードブックでのコードブック索引２ｉ２＋１に対応すること、又は、
（１２）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引２ｉ２＋１に対応すること、又は、
（１３）第一プリコーディング・マトリックス指示情報の値ｉ１∈｛０，１｝が原始Rank 3コードブックでのコードブック索引
【数２５】
0005945765.tif 000083
に対応し、第二プリコーディング・マトリックス指示情報の値ｉ２∈｛０，１，・・・，７｝が原始Rank 3コードブックでのコードブック索引
【数２６】
0005945765.tif 000084
に対応すること、又は、
（１４）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引
【数２７】
0005945765.tif 000085
に対応すること、又は、
（１５）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引ｉ２に対応すること、又は、
（１６）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引ｉ２＋４に対応すること、又は、
（１７）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引ｉ２＋８に対応すること、又は、
（１８）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引ｉ２＋１２に対応すること、又は、
（１９）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引
【数２８】
0005945765.tif 000086
に対応すること、又は、
（２０）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引
【数２９】
0005945765.tif 000087
に対応すること（その中で、
【数３０】
0005945765.tif 000088
が
【数３１】
0005945765.tif 000089
以下の最大整数を表し、ｉｍｏｄ２はｉを２で割る時の余りを表す。）、
を含むことを特徴とする信号チャネル状態情報の伝送方法。
【請求項４】
（１）端末設備が基地局により発送した制御シグナルを受信し、前記制御シグナルが前記端末設備に、信号チャネル状態情報フィードバックを行うよう通知し、信号チャネル状態情報フィードバックで採用されるフィードバックモードを通知することと、
（２）前記端末設備が、デフォルトのプリコーディング・マトリックスの集合を圧縮することで得られる圧縮後のプリコーディング・マトリックス集合でRI値とプリコーディング・マトリックスとを確定し、デフォルトのプリコーディング・マトリックス指示情報と、前記デフォルトのプリコーディング・マトリックスに対応付けられた原始コードブックでのコードブック索引との対応関係によって、前記確定されたプリコーディング・マトリックスに対応する前記デフォルトのプリコーディング・マトリックスに対応付けられた前記原始コードブックでのコードブック索引に対応するプリコーディング・マトリックス指示情報の値を確定することと、
（３）前記端末設備が前記フィードバックモードによって、確定された前記RI値と前記プリコーディング・マトリックス指示情報の値とを前記基地局に発送することと、
を含み、
前記端末設備が前記圧縮後のプリコーディング・マトリックス集合でRI値とプリコーディング・マトリックスとを確定し、前記デフォルトのプリコーディング・マトリックス指示情報と前記原始コードブックでのコードブック索引との対応関係によって、前記確定されたプリコーディング・マトリックスに対応するプリコーディング・マトリックス指示情報の値を確定することは、具体的に、
（４）前記端末設備が確定する必要のあるプリコーディング・マトリックス指示情報が具体的に第一プリコーディング・マトリックス指示情報と第二プリコーディング・マトリックス指示情報とを含む場合、前記端末設備がRI値、それにデフォルトの第一プリコーディング・マトリックス指示情報及び第二プリコーディング・マトリックス指示情報と原始コードブックでの二つのコードブック索引ｉ１及びｉ２との対応関係によって、第一プリコーディング・マトリックス指示情報と第二プリコーディング・マトリックス指示情報との値を確定すること、又は、
（５）前記端末設備が確定する必要のあるプリコーディング・マトリックス指示情報が具体的に一つのプリコーディング・マトリックス指示情報である場合、前記端末設備がRI値、それに前記デフォルトのプリコーディング・マトリックス指示情報と原始コードブックでの二つのコードブック索引から構成したコードブック索引対（ｉ１，ｉ２）との対応関係によって、プリコーディング・マトリックス指示情報の値を確定すること、又は、
（６）前記端末設備が確定する必要のあるプリコーディング・マトリックス指示情報が具体的に第一プリコーディング・マトリックス指示情報と第二プリコーディング・マトリックス指示情報を含む場合、前記端末設備がRI値、それにデフォルトの第一プリコーディング・マトリックス指示情報及び第二プリコーディング・マトリックス指示情報から構成したプリコーディング・マトリックス指示情報対と原始コードブックでの二つのコードブック索引から構成したコードブック索引対（ｉ１，ｉ２）との対応関係によって、第一プリコーディング・マトリックス指示情報と第二プリコーディング・マトリックス指示情報との値を確定すること、又は、
（７）前記端末設備が確定する必要のあるプリコーディング・マトリックス指示情報が具体的に一つのプリコーディング・マトリックス指示情報である場合、前記端末設備がRI値、それに前記デフォルトのプリコーディング・マトリックス指示情報と原始コードブックでの二つのコードブック索引ｉ１及びｉ２との対応関係によって、プリコーディング・マトリックス指示情報の値を確定すること、を含み、
前記端末設備により確定されたRI値が４である場合、前記端末設備が第一プリコーディング・マトリックス指示情報と第二プリコーディング・マトリックス指示情報の値の根拠とするデフォルトの第一プリコーディング・マトリックス指示情報及び第二プリコーディング・マトリックス指示情報と原始コードブックでの二つのコードブック索引ｉ１及びｉ２との対応関係を確定することは、具体的に、
（１）第一プリコーディング・マトリックス指示情報の値ｉ１∈｛０，１，２，３｝が原始Rank 4コードブックでのコードブック索引ｉ１に対応し、第二プリコーディング・マトリックス指示情報の値ｉ２∈｛０，１，２，３｝が原始Rank 4コードブックでのコードブック索引２ｉ２に対応すること、又は、
（２）第一プリコーディング・マトリックス指示情報の値ｉ１∈｛０，１，２，３｝が原始Rank 4コードブックでのコードブック索引ｉ１に対応し、第二プリコーディング・マトリックス指示情報の値ｉ２∈｛０，１，２，３｝が原始Rank 4コードブックでのコードブック索引
【数３２】
0005945765.tif 000090
に対応すること、又は、
（３）第一プリコーディング・マトリックス指示情報の値ｉ１∈｛０，１，２，３｝が原始Rank 4コードブックでのコードブック索引ｉ１に対応し、第二プリコーディング・マトリックス指示情報の値ｉ２∈｛０，１，２，３｝が原始Rank 4コードブックでのコードブック索引２＋ｉ２に対応すること、又は、
（４）第一プリコーディング・マトリックス指示情報の値ｉ１∈｛０，１｝が原始Rank 4コードブックでのコードブック索引
【数３３】
0005945765.tif 000091
に対応し、第二プリコーディング・マトリックス指示情報の値ｉ２∈｛０，１，・・・，７｝が原始Rank 4コードブックでのコードブック索引ｉ２に対応すること、又は、
（５）第一プリコーディング・マトリックス指示情報の値ｉ１∈｛０，１｝が原始Rank 4コードブックでのコードブック索引２ｉ１に対応し、第二プリコーディング・マトリックス指示情報の値ｉ２∈｛０，１，・・・，７｝が原始Rank 4コードブックでのコードブック索引ｉ２に対応すること（その中で、
【数３４】
0005945765.tif 000092
が
【数３５】
0005945765.tif 000093
以下の最大整数を表し、ｉｍｏｄ２はｉを２で割る時の余りを表す。）、
を含むことを特徴とする信号チャネル状態情報の伝送方法。
【請求項５】
（１）端末設備が基地局により発送した制御シグナルを受信し、前記制御シグナルが前記端末設備に、信号チャネル状態情報フィードバックを行うよう通知し、信号チャネル状態情報フィードバックで採用されるフィードバックモードを通知することと、
（２）前記端末設備が、デフォルトのプリコーディング・マトリックスの集合を圧縮することで得られる圧縮後のプリコーディング・マトリックス集合でRI値とプリコーディング・マトリックスとを確定し、デフォルトのプリコーディング・マトリックス指示情報と、前記デフォルトのプリコーディング・マトリックスに対応付けられた原始コードブックでのコードブック索引との対応関係によって、前記確定されたプリコーディング・マトリックスに対応する前記デフォルトのプリコーディング・マトリックスに対応付けられた前記原始コードブックでのコードブック索引に対応するプリコーディング・マトリックス指示情報の値を確定することと、
（３）前記端末設備が前記フィードバックモードによって、確定された前記RI値と前記プリコーディング・マトリックス指示情報の値とを前記基地局に発送することと、
を含み、
前記端末設備が前記圧縮後のプリコーディング・マトリックス集合でRI値とプリコーディング・マトリックスとを確定し、前記デフォルトのプリコーディング・マトリックス指示情報と前記原始コードブックでのコードブック索引との対応関係によって、前記確定されたプリコーディング・マトリックスに対応するプリコーディング・マトリックス指示情報の値を確定することは、具体的に、
（４）前記端末設備が確定する必要のあるプリコーディング・マトリックス指示情報が具体的に第一プリコーディング・マトリックス指示情報と第二プリコーディング・マトリックス指示情報とを含む場合、前記端末設備がRI値、それにデフォルトの第一プリコーディング・マトリックス指示情報及び第二プリコーディング・マトリックス指示情報と原始コードブックでの二つのコードブック索引ｉ１及びｉ２との対応関係によって、第一プリコーディング・マトリックス指示情報と第二プリコーディング・マトリックス指示情報との値を確定すること、又は、
（５）前記端末設備が確定する必要のあるプリコーディング・マトリックス指示情報が具体的に一つのプリコーディング・マトリックス指示情報である場合、前記端末設備がRI値、それに前記デフォルトのプリコーディング・マトリックス指示情報と原始コードブックでの二つのコードブック索引から構成したコードブック索引対（ｉ１，ｉ２）との対応関係によって、プリコーディング・マトリックス指示情報の値を確定すること、又は、
（６）前記端末設備が確定する必要のあるプリコーディング・マトリックス指示情報が具体的に第一プリコーディング・マトリックス指示情報と第二プリコーディング・マトリックス指示情報を含む場合、前記端末設備がRI値、それにデフォルトの第一プリコーディング・マトリックス指示情報及び第二プリコーディング・マトリックス指示情報から構成したプリコーディング・マトリックス指示情報対と原始コードブックでの二つのコードブック索引から構成したコードブック索引対（ｉ１，ｉ２）との対応関係によって、第一プリコーディング・マトリックス指示情報と第二プリコーディング・マトリックス指示情報との値を確定すること、又は、
（７）前記端末設備が確定する必要のあるプリコーディング・マトリックス指示情報が具体的に一つのプリコーディング・マトリックス指示情報である場合、前記端末設備がRI値、それに前記デフォルトのプリコーディング・マトリックス指示情報と原始コードブックでの二つのコードブック索引ｉ１及びｉ２との対応関係によって、プリコーディング・マトリックス指示情報の値を確定すること、を含み、
前記端末設備により確定されたRI値が１である場合、前記端末設備がプリコーディング・マトリックス指示情報の値の根拠とする前記デフォルトのプリコーディング・マトリックス指示情報と原始コードブックでの二つのコードブック索引から構成したコードブック索引対（ｉ１，ｉ２）との対応関係を確定することは、具体的に、
（１）プリコーディング・マトリックス指示情報の値ｉ∈｛０，１，・・・，１５｝が原始Rank 1コードブックでのコードブック索引対（ｉ１，ｉ２）に対応する（この中で、ｉ１＝ｉ、ｉ２＝２・（ｉｍｏｄ２）となる）こと、又は、
（２）プリコーディング・マトリックス指示情報の値ｉ∈｛０，１，・・・，１５｝が原始Rank 1コードブックでのコードブック索引対（ｉ１，ｉ２）に対応する（この中で、ｉ１＝ｉ、ｉ２＝８＋２・（ｉｍｏｄ２）となる）こと、又は、
（３）プリコーディング・マトリックス指示情報の値ｉ∈｛０，１，・・・，１５｝が原始Rank 1コードブックでのコードブック索引対（ｉ１，ｉ２）に対応し、その中で、ｉ１＝ｉ、ｉ２＝ｉｍｏｄ４となること、又は、
（４）プリコーディング・マトリックス指示情報の値ｉ∈｛０，１，・・・，１５｝が原始Rank 1コードブックでのコードブック索引対（ｉ１，ｉ２）に対応し、その中で、ｉ１＝ｉ、ｉ２＝８＋２・（ｉｍｏｄ４）となること（その中で、ｉｍｏｄ２はｉを２で割る時の余りを表し、ｉｍｏｄ４はｉを４で割る時の余りを表す。）、
を含むことを特徴とする信号チャネル状態情報の伝送方法。
【請求項６】
前記原始コードブックがLTE-Aシステム8アンテナポートコードブックである、ことを特徴とする請求項１乃至５のいずれか１項に記載の方法。
【請求項７】
（１）基地局が端末設備に制御シグナルを発送し、前記端末設備に信号チャネル状態情報フィードバックを行うよう通知し、それに信号チャネル状態情報フィードバックで採用するフィードバックモードを通知することと、
（２）前記基地局が、前記フィードバックモードにより、前記端末設備が、デフォルトのプリコーディング・マトリックスの集合を圧縮することで得られる圧縮後のプリコーディング・マトリックス集合でRI値とプリコーディング・マトリックスとを確定し、デフォルトのプリコーディング・マトリックス指示情報と、前記デフォルトのプリコーディング・マトリックスに対応付けられた原始コードブックでのコードブック索引との対応関係によって、前記確定されたプリコーディング・マトリックスに対応する前記デフォルトのプリコーディング・マトリックスに対応付けられた前記原始コードブックでのコードブック索引に対応するプリコーディング・マトリックス指示情報の値を確定し、報告した前記RI値と前記プリコーディング・マトリックス指示情報を受信することと、
（３）前記基地局が受信したRI値とプリコーディング・マトリックス指示情報の値によって、前記デフォルトのプリコーディング・マトリックス指示情報と前記原始コードブックでのコードブック索引との対応関係に基づいてプリコーディング・マトリックスを確定することと、
を含み、
前記基地局が受信したRI値とプリコーディング・マトリックス指示情報の値によって、前記デフォルトのプリコーディング・マトリックス指示情報と原始コードブックでのコードブック索引との対応関係に基づいて、プリコーディング・マトリックスを確定することは、具体的に、
（４）前記基地局により受信した前記端末設備から報告のあるプリコーディング・マトリックス指示情報が具体的に第一プリコーディング・マトリックス指示情報と第二プリコーディング・マトリックス指示情報を含む場合、前記基地局がRI値及びデフォルトの第一プリコーディング・マトリックス指示情報及び第二プリコーディング・マトリックス指示情報と原始コードブックでの二つのコードブック索引ｉ１及びｉ２との対応関係によって、プリコーディング・マトリックスを確定すること、又は、
（５）前記基地局により受信した前記端末設備から報告のあるプリコーディング・マトリックス指示情報が具体的に一つのプリコーディング・マトリックス指示情報である場合、前記基地局がRI値及び前記デフォルトのプリコーディング・マトリックス指示情報と原始コードブックでの二つのコードブック索引から構成したコードブック索引対（ｉ１，ｉ２）との対応関係によって、プリコーディング・マトリックスを確定すること、又は、
（６）前記基地局により受信した前記端末設備から報告のあるプリコーディング・マトリックス指示情報が具体的に第一プリコーディング・マトリックス指示情報と第二プリコーディング・マトリックス指示情報から構成したプリコーディング・マトリックス指示情報対を含む場合、前記基地局がRI値及びデフォルトの第一プリコーディング・マトリックス指示情報と第二プリコーディング・マトリックス指示情報から構成したプリコーディング・マトリックス指示情報対及び原始コードブックでの二つのコードブック索引から構成したコードブック索引対（ｉ１，ｉ２）との対応関係によって、プリコーディング・マトリックスを確定すること、又は、
（７）前記基地局により受信した前記端末設備から報告のあるプリコーディング・マトリックス指示情報が具体的に一つのプリコーディング・マトリックスである場合、前記基地局がRI値及び前記デフォルトのプリコーディング・マトリックス指示情報と原始コードブックでの二つのコードブック索引ｉ１及びｉ２との対応関係によって、プリコーディング・マトリックスを確定すること、を含み、
前記基地局により受信した前記端末設備から報告のあるRI値が１である時、前記基地局がプリコーディング・マトリックスの根拠とするデフォルトの第一プリコーディング・マトリックス指示情報及び第二プリコーディング・マトリックス指示情報と原始コードブックでの二つのコードブック索引ｉ１及びｉ２との対応関係を確定することは、具体的に、
（１）第一プリコーディング・マトリックス指示情報の値ｉ１∈｛０，１，・・・，７｝が原始Rank 1コードブックでのコードブック索引
【数３６】
0005945765.tif 000094
に対応し、第二プリコーディング・マトリックス指示情報の値ｉ２∈｛０，１，・・・，１５｝が原始Rank 1コードブックでのコードブック索引ｉ２に対応すること、又は、
（２）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１，・・・，１５｝が原始Rank 1コードブックでのコードブック索引ｉ２に対応すること、又は、
（３）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１，・・・，７｝が原始Rank 1コードブックでのコードブック索引ｉ２に対応すること、又は、
（４）第一プリコーディング・マトリックス指示情報の値ｉ１∈｛０，１，・・・，１５｝が原始Rank 1コードブックでのコードブック索引ｉ１に対応し、それに、第二プリコーディング・マトリックス指示情報の値ｉ２∈｛０，１，２，３｝である場合、原始Rank 1コードブックでのコードブック索引ｉ２に対応し、第二プリコーディング・マトリックス指示情報の値がｉ２∈｛４，５，６，７｝である場合、原始Rank 1コードブックでのコードブック索引ｉ２＋８に対応すること、又は、
（５）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１，・・・，７｝が原始Rank 1コードブックでのコードブック索引ｉ２＋４に対応すること、又は、
（６）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１，・・・，７｝が原始Rank 1コードブックでのコードブック索引ｉ２＋８に対応すること、又は、
（７）第一プリコーディング・マトリックス指示情報の値ｉ１∈｛０，１，・・・，７｝が原始Rank 1コードブックでのコードブック索引
【数３７】
0005945765.tif 000095
に対応し、第二プリコーディング・マトリックス指示情報の値ｉ２∈｛０，１｝が原始Rank 1コードブックでのコードブック索引２ｉ２に対応すること、又は、
（８）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引２ｉ２に対応すること、又は、
（９）第一プリコーディング・マトリックス指示情報の値ｉ１∈｛０，１，・・・，７｝が原始Rank 1コードブックでのコードブック索引
【数３８】
0005945765.tif 000096
に対応し、第二プリコーディング・マトリックス指示情報の値ｉ２∈｛０，１｝が原始Rank 1コードブックでのコードブック索引２ｉ２＋４に対応すること、又は、
（１０）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引２ｉ２＋４に対応すること、又は、
（１１）第一プリコーディング・マトリックス指示情報の値ｉ１∈｛０，１，・・・，７｝が原始Rank 1コードブックでのコードブック索引
【数３９】
0005945765.tif 000097
に対応し、第二プリコーディング・マトリックス指示情報の値ｉ２∈｛０，１｝が原始Rank 1コードブックでのコードブック索引２ｉ２＋８に対応すること、又は、
（１２）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引２ｉ２＋８に対応すること、又は、
（１３）第一プリコーディング・マトリックス指示情報の値ｉ１∈｛０，１，・・・，７｝が原始Rank 1コードブックでのコードブック索引
【数４０】
0005945765.tif 000098
に対応し、第二プリコーディング・マトリックス指示情報の値ｉ２∈｛０，１｝が原始Rank 1コードブックでのコードブック索引２ｉ２＋１２に対応すること、又は、
（１４）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引２ｉ２＋１２に対応すること、又は、
（１５）第一プリコーディング・マトリックス指示情報の値ｉ１∈｛０，１，・・・，７｝が原始Rank 1コードブックでのコードブック索引
【数４１】
0005945765.tif 000099
に対応し、それに、第二プリコーディング・マトリックス指示情報の値がｉ２∈｛０，１｝である場合、原始Rank 1コードブックでのコードブック索引２ｉ２に対応し、第二プリコーディング・マトリックス指示情報の値がｉ２∈｛３，４｝である場合、原始Rank 1コードブックでのコードブック索引２ｉ２＋５に対応すること、又は、
（１６）第一プリコーディング・マトリックス指示情報の値ｉ１∈｛０，１，・・・，７｝が原始Rank 1コードブックでのコードブック索引２ｉ１に対応し、それに、当該第二プリコーディング・マトリックス指示情報の値がｉ２∈｛０，１｝である場合、原始Rank 1コードブックでのコードブック索引２ｉ２に対応し、第二プリコーディング・マトリックス指示情報の値がｉ２∈｛３，４｝である場合、原始Rank 1コードブックでのコードブック索引２ｉ２＋５に対応すること、又は、
（１７）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１｝が原始Rank 1コードブックでのコードブック索引２ｉ２に対応すること、又は、
（１８）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１｝が原始Rank 1コードブックでのコードブック索引８＋２ｉ２に対応すること、又は、
（１９）第一プリコーディング・マトリックス指示情報の値ｉ１∈｛０，１，・・・，７｝が原始Rank 1コードブックでのコードブック索引
【数４２】
0005945765.tif 000100
に対応し、それに、第二プリコーディング・マトリックス指示情報の値がｉ２∈｛０，１｝である場合、原始Rank 1コードブックでのコードブック索引２ｉ２に対応し、第二プリコーディング・マトリックス指示情報の値がｉ２∈｛２，３｝である場合、原始Rank 1コードブックでのコードブック索引８＋２ｉ２に対応すること、又は、
（２０）第一プリコーディング・マトリックス指示情報の値ｉ１∈｛０，１，・・・，７｝が原始Rank 1コードブックでのコードブック索引２ｉ１に対応し、それに、第二プリコーディング・マトリックス指示情報の値がｉ２∈｛０，１｝である場合、原始Rank 1コードブックでのコードブック索引２ｉ２に対応し、第二プリコーディング・マトリックス指示情報の値がｉ２∈｛２，３｝である場合、原始Rank 1コードブックでのコードブック索引８＋２ｉ２に対応すること、又は、
（２１）第一プリコーディング・マトリックス指示情報の値ｉ１∈｛０，１，・・・，７｝が原始Rank 1コードブックでのコードブック索引
【数４３３】
0005945765.tif 000101
に対応し、第二プリコーディング・マトリックス指示情報の値ｉ２∈｛０，１｝が原始Rank 1コードブックでのコードブック索引８ｉ２に対応すること、又は、
（２２）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引８ｉ２に対応すること、又は、
（２３）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２＝０が原始Rank 1コードブックでのコードブック索引ｉ２＝０に対応すること（その中で、
【数４４】
0005945765.tif 000102
が
【数４５】
0005945765.tif 000103
以下の最大整数を表す。）、
を含むことを特徴とする信号チャネル状態情報の伝送方法。
【請求項８】
（１）基地局が端末設備に制御シグナルを発送し、前記端末設備に信号チャネル状態情報フィードバックを行うよう通知し、それに信号チャネル状態情報フィードバックで採用するフィードバックモードを通知することと、
（２）前記基地局が、前記フィードバックモードにより、前記端末設備が、デフォルトのプリコーディング・マトリックスの集合を圧縮することで得られる圧縮後のプリコーディング・マトリックス集合でRI値とプリコーディング・マトリックスとを確定し、デフォルトのプリコーディング・マトリックス指示情報と、前記デフォルトのプリコーディング・マトリックスに対応付けられた原始コードブックでのコードブック索引との対応関係によって、前記確定されたプリコーディング・マトリックスに対応する前記デフォルトのプリコーディング・マトリックスに対応付けられた前記原始コードブックでのコードブック索引に対応するプリコーディング・マトリックス指示情報の値を確定し、報告した前記RI値と前記プリコーディング・マトリックス指示情報を受信することと、
（３）前記基地局が受信したRI値とプリコーディング・マトリックス指示情報の値によって、前記デフォルトのプリコーディング・マトリックス指示情報と前記原始コードブックでのコードブック索引との対応関係に基づいてプリコーディング・マトリックスを確定することと、
を含み、
前記基地局が受信したRI値とプリコーディング・マトリックス指示情報の値によって、前記デフォルトのプリコーディング・マトリックス指示情報と原始コードブックでのコードブック索引との対応関係に基づいて、プリコーディング・マトリックスを確定することは、具体的に、
（４）前記基地局により受信した前記端末設備から報告のあるプリコーディング・マトリックス指示情報が具体的に第一プリコーディング・マトリックス指示情報と第二プリコーディング・マトリックス指示情報を含む場合、前記基地局がRI値及びデフォルトの第一プリコーディング・マトリックス指示情報及び第二プリコーディング・マトリックス指示情報と原始コードブックでの二つのコードブック索引ｉ１及びｉ２との対応関係によって、プリコーディング・マトリックスを確定すること、又は、
（５）前記基地局により受信した前記端末設備から報告のあるプリコーディング・マトリックス指示情報が具体的に一つのプリコーディング・マトリックス指示情報である場合、前記基地局がRI値及び前記デフォルトのプリコーディング・マトリックス指示情報と原始コードブックでの二つのコードブック索引から構成したコードブック索引対（ｉ１，ｉ２）との対応関係によって、プリコーディング・マトリックスを確定すること、又は、
（６）前記基地局により受信した前記端末設備から報告のあるプリコーディング・マトリックス指示情報が具体的に第一プリコーディング・マトリックス指示情報と第二プリコーディング・マトリックス指示情報から構成したプリコーディング・マトリックス指示情報対を含む場合、前記基地局がRI値及びデフォルトの第一プリコーディング・マトリックス指示情報と第二プリコーディング・マトリックス指示情報から構成したプリコーディング・マトリックス指示情報対及び原始コードブックでの二つのコードブック索引から構成したコードブック索引対（ｉ１，ｉ２）との対応関係によって、プリコーディング・マトリックスを確定すること、又は、
（７）前記基地局により受信した前記端末設備から報告のあるプリコーディング・マトリックス指示情報が具体的に一つのプリコーディング・マトリックスである場合、前記基地局がRI値及び前記デフォルトのプリコーディング・マトリックス指示情報と原始コードブックでの二つのコードブック索引ｉ１及びｉ２との対応関係によって、プリコーディング・マトリックスを確定すること、を含み、
前記基地局により受信した前記端末設備から報告のあるRI値が２である場合、前記基地局がプリコーディング・マトリックスの根拠とするデフォルトの第一プリコーディング・マトリックス指示情報及び第二プリコーディング・マトリックス指示情報と原始コードブックでの二つのコードブック索引ｉ１及びｉ２との対応関係を確定することは、具体的に、
（１）第一プリコーディング・マトリックス指示情報の値ｉ１∈｛０，１，・・・，７｝が原始Rank 2コードブックでのコードブック索引
【数４６】
0005945765.tif 000104
に対応し、第二プリコーディング・マトリックス指示情報の値ｉ２∈｛０，１｝が原始Rank 2コードブックでのコードブック索引ｉ２に対応すること、又は、
（２）第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引ｉ２に対応すること、又は、
（３）第一プリコーディング・マトリックス指示情報の値ｉ１∈｛０，１，・・・，７｝が原始Rank 2コードブックでのコードブック索引
【数４７】
0005945765.tif 000105
に対応し、第二プリコーディング・マトリックス指示情報の値ｉ２∈｛０，１｝が原始Rank 2コードブックでのコードブック索引４＋ｉ２に対応すること、又は、
（４）第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引４＋ｉ２に対応すること、又は、
（５）第一プリコーディング・マトリックス指示情報の値ｉ１∈｛０，１，・・・，７｝が原始Rank 2コードブックでのコードブック索引
【数４８】
0005945765.tif 000106
に対応し、第二プリコーディング・マトリックス指示情報の値ｉ２∈｛０，１｝が原始Rank 2コードブックでのコードブック索引４ｉ２に対応すること、又は、
（６）第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引４ｉ２に対応すること、又は、
（７）第一プリコーディング・マトリックス指示情報の値ｉ１∈｛０，１，・・・，１５｝が原始Rank 2コードブックでのコードブック索引ｉ１に対応し、第二プリコーディング・マトリックス指示情報の値ｉ２＝０が原始Rank 2コードブックでのコードブック索引ｉ２＝０に対応すること、又は、
（８）第一プリコーディング・マトリックス指示情報の値ｉ１∈｛０，１，・・・，１５｝が原始Rank 2コードブックでのコードブック索引ｉ１に対応し、第二プリコーディング・マトリックス指示情報の値ｉ２＝０が原始Rank 2コードブックでのコードブック索引ｉ２＝４に対応すること、又は、
（９）第一プリコーディング・マトリックス指示情報の値ｉ１∈｛０，１，・・・，１５｝が原始Rank 2コードブックでのコードブック索引ｉ１に対応し、第二プリコーディング・マトリックス指示情報の値ｉ２∈｛０，１，２，３｝が原始Rank 2コードブックでのコードブック索引２ｉ２に対応すること、又は、
（１０）第一プリコーディング・マトリックス指示情報の値ｉ１∈｛０，１，・・・，７｝が原始Rank 2コードブックでのコードブック索引
【数４９】
0005945765.tif 000107
に対応し、第二プリコーディング・マトリックス指示情報の値ｉ２∈｛０，１｝が原始Rank 2コードブックでのコードブック索引５ｉ２に対応すること、又は、
（１１）第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引５ｉ２に対応すること（その中で、
【数５０】
0005945765.tif 000108
が
【数５１】
0005945765.tif 000109
以下の最大整数を表す。）、
を含むことを特徴とする信号チャネル状態情報の伝送方法。
【請求項９】
（１）基地局が端末設備に制御シグナルを発送し、前記端末設備に信号チャネル状態情報フィードバックを行うよう通知し、それに信号チャネル状態情報フィードバックで採用するフィードバックモードを通知することと、
（２）前記基地局が、前記フィードバックモードにより、前記端末設備が、デフォルトのプリコーディング・マトリックスの集合を圧縮することで得られる圧縮後のプリコーディング・マトリックス集合でRI値とプリコーディング・マトリックスとを確定し、デフォルトのプリコーディング・マトリックス指示情報と、前記デフォルトのプリコーディング・マトリックスに対応付けられた原始コードブックでのコードブック索引との対応関係によって、前記確定されたプリコーディング・マトリックスに対応する前記デフォルトのプリコーディング・マトリックスに対応付けられた前記原始コードブックでのコードブック索引に対応するプリコーディング・マトリックス指示情報の値を確定し、報告した前記RI値と前記プリコーディング・マトリックス指示情報を受信することと、
（３）前記基地局が受信したRI値とプリコーディング・マトリックス指示情報の値によって、前記デフォルトのプリコーディング・マトリックス指示情報と前記原始コードブックでのコードブック索引との対応関係に基づいてプリコーディング・マトリックスを確定することと、
を含み、
前記基地局が受信したRI値とプリコーディング・マトリックス指示情報の値によって、前記デフォルトのプリコーディング・マトリックス指示情報と原始コードブックでのコードブック索引との対応関係に基づいて、プリコーディング・マトリックスを確定することは、具体的に、
（４）前記基地局により受信した前記端末設備から報告のあるプリコーディング・マトリックス指示情報が具体的に第一プリコーディング・マトリックス指示情報と第二プリコーディング・マトリックス指示情報を含む場合、前記基地局がRI値及びデフォルトの第一プリコーディング・マトリックス指示情報及び第二プリコーディング・マトリックス指示情報と原始コードブックでの二つのコードブック索引ｉ１及びｉ２との対応関係によって、プリコーディング・マトリックスを確定すること、又は、
（５）前記基地局により受信した前記端末設備から報告のあるプリコーディング・マトリックス指示情報が具体的に一つのプリコーディング・マトリックス指示情報である場合、前記基地局がRI値及び前記デフォルトのプリコーディング・マトリックス指示情報と原始コードブックでの二つのコードブック索引から構成したコードブック索引対（ｉ１，ｉ２）との対応関係によって、プリコーディング・マトリックスを確定すること、又は、
（６）前記基地局により受信した前記端末設備から報告のあるプリコーディング・マトリックス指示情報が具体的に第一プリコーディング・マトリックス指示情報と第二プリコーディング・マトリックス指示情報から構成したプリコーディング・マトリックス指示情報対を含む場合、前記基地局がRI値及びデフォルトの第一プリコーディング・マトリックス指示情報と第二プリコーディング・マトリックス指示情報から構成したプリコーディング・マトリックス指示情報対及び原始コードブックでの二つのコードブック索引から構成したコードブック索引対（ｉ１，ｉ２）との対応関係によって、プリコーディング・マトリックスを確定すること、又は、
（７）前記基地局により受信した前記端末設備から報告のあるプリコーディング・マトリックス指示情報が具体的に一つのプリコーディング・マトリックスである場合、前記基地局がRI値及び前記デフォルトのプリコーディング・マトリックス指示情報と原始コードブックでの二つのコードブック索引ｉ１及びｉ２との対応関係によって、プリコーディング・マトリックスを確定すること、を含み、
前記基地局により受信した前記端末設備から報告のあるRI値が3である場合、前記基地局がプリコーディング・マトリックスの根拠とするデフォルトの第一プリコーディング・マトリックス指示情報及び第二プリコーディング・マトリックス指示情報と原始コードブックでの二つのコードブック索引ｉ１及びｉ２との対応関係を確定することは、具体的に、
（１）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引４ｉ２に対応すること、又は、
（２）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引４ｉ２＋１に対応すること、又は、
（３）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引４ｉ２＋２に対応すること、又は、
（４）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引４ｉ２＋３に対応すること、又は、
（５）第一プリコーディング・マトリックス指示情報の値ｉ１∈｛０，１｝が原始Rank 3コードブックでのコードブック索引
【数５２】
0005945765.tif 000110
に対応し、第二プリコーディング・マトリックス指示情報の値ｉ２∈｛０，１，・・・，７｝が原始Rank 3コードブックでのコードブック索引
【数５３】
0005945765.tif 000111
に対応すること、又は、
（６）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引
【数５４】
0005945765.tif 000112
に対応すること、又は、
（７）第一プリコーディング・マトリックス指示情報の値ｉ１∈｛０，１｝が原始Rank 3コードブックでのコードブック索引
【数５５】
0005945765.tif 000113
に対応し、第二プリコーディング・マトリックス指示情報の値ｉ２∈｛０，１，・・・，７｝が原始Rank 3コードブックでのコードブック索引２ｉ２に対応すること、又は、
（８）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引２ｉ２に対応すること、又は、
（９）第一プリコーディング・マトリックス指示情報の値ｉ１∈｛０，１｝が原始Rank 3コードブックでのコードブック索引
【数５６】
0005945765.tif 000114
に対応し、第二プリコーディング・マトリックス指示情報の値ｉ２∈｛０，１，・・・，７｝が原始Rank 3コードブックでのコードブック索引
【数５７】
0005945765.tif 000115
に対応すること、又は、
（１０）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引
【数５８】
0005945765.tif 000116
に対応すること、又は、
（１１）第一プリコーディング・マトリックス指示情報の値ｉ１∈｛０，１｝が原始Rank 3コードブックでのコードブック索引
【数５９】
0005945765.tif 000117
に対応し、第二プリコーディング・マトリックス指示情報の値ｉ２∈｛０，１，・・・，７｝が原始Rank 3コードブックでのコードブック索引２ｉ２＋１に対応すること、又は、
（１２）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引２ｉ２＋１に対応すること、又は、
（１３）第一プリコーディング・マトリックス指示情報の値ｉ１∈｛０，１｝が原始Rank 3コードブックでのコードブック索引
【数６０】
0005945765.tif 000118
に対応し、第二プリコーディング・マトリックス指示情報の値ｉ２∈｛０，１，・・・，７｝が原始Rank 3コードブックでのコードブック索引
【数６１】
0005945765.tif 000119
に対応すること、又は、
（１４）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引
【数６２】
0005945765.tif 000120
に対応すること、又は、
（１５）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引ｉ２に対応すること、又は、
（１６）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引ｉ２＋４に対応すること、又は、
（１７）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引ｉ２＋８に対応すること、又は、
（１８）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引ｉ２＋１２に対応すること、又は、
（１９）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引
【数６３】
0005945765.tif 000121
に対応すること、又は、
（２０）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引
【数６４】
0005945765.tif 000122
に対応すること（その中で、
【数６５】
0005945765.tif 000123
が
【数６６】
0005945765.tif 000124
以下の最大整数を表し、ｉｍｏｄ２はｉを２で割る時の余りを表す。）、
を含むことを特徴とする信号チャネル状態情報の伝送方法。
【請求項１０】
（１）基地局が端末設備に制御シグナルを発送し、前記端末設備に信号チャネル状態情報フィードバックを行うよう通知し、それに信号チャネル状態情報フィードバックで採用するフィードバックモードを通知することと、
（２）前記基地局が、前記フィードバックモードにより、前記端末設備が、デフォルトのプリコーディング・マトリックスの集合を圧縮することで得られる圧縮後のプリコーディング・マトリックス集合でRI値とプリコーディング・マトリックスとを確定し、デフォルトのプリコーディング・マトリックス指示情報と、前記デフォルトのプリコーディング・マトリックスに対応付けられた原始コードブックでのコードブック索引との対応関係によって、前記確定されたプリコーディング・マトリックスに対応する前記デフォルトのプリコーディング・マトリックスに対応付けられた前記原始コードブックでのコードブック索引に対応するプリコーディング・マトリックス指示情報の値を確定し、報告した前記RI値と前記プリコーディング・マトリックス指示情報を受信することと、
（３）前記基地局が受信したRI値とプリコーディング・マトリックス指示情報の値によって、前記デフォルトのプリコーディング・マトリックス指示情報と前記原始コードブックでのコードブック索引との対応関係に基づいてプリコーディング・マトリックスを確定することと、
を含み、
前記基地局が受信したRI値とプリコーディング・マトリックス指示情報の値によって、前記デフォルトのプリコーディング・マトリックス指示情報と原始コードブックでのコードブック索引との対応関係に基づいて、プリコーディング・マトリックスを確定することは、具体的に、
（４）前記基地局により受信した前記端末設備から報告のあるプリコーディング・マトリックス指示情報が具体的に第一プリコーディング・マトリックス指示情報と第二プリコーディング・マトリックス指示情報を含む場合、前記基地局がRI値及びデフォルトの第一プリコーディング・マトリックス指示情報及び第二プリコーディング・マトリックス指示情報と原始コードブックでの二つのコードブック索引ｉ１及びｉ２との対応関係によって、プリコーディング・マトリックスを確定すること、又は、
（５）前記基地局により受信した前記端末設備から報告のあるプリコーディング・マトリックス指示情報が具体的に一つのプリコーディング・マトリックス指示情報である場合、前記基地局がRI値及び前記デフォルトのプリコーディング・マトリックス指示情報と原始コードブックでの二つのコードブック索引から構成したコードブック索引対（ｉ１，ｉ２）との対応関係によって、プリコーディング・マトリックスを確定すること、又は、
（６）前記基地局により受信した前記端末設備から報告のあるプリコーディング・マトリックス指示情報が具体的に第一プリコーディング・マトリックス指示情報と第二プリコーディング・マトリックス指示情報から構成したプリコーディング・マトリックス指示情報対を含む場合、前記基地局がRI値及びデフォルトの第一プリコーディング・マトリックス指示情報と第二プリコーディング・マトリックス指示情報から構成したプリコーディング・マトリックス指示情報対及び原始コードブックでの二つのコードブック索引から構成したコードブック索引対（ｉ１，ｉ２）との対応関係によって、プリコーディング・マトリックスを確定すること、又は、
（７）前記基地局により受信した前記端末設備から報告のあるプリコーディング・マトリックス指示情報が具体的に一つのプリコーディング・マトリックスである場合、前記基地局がRI値及び前記デフォルトのプリコーディング・マトリックス指示情報と原始コードブックでの二つのコードブック索引ｉ１及びｉ２との対応関係によって、プリコーディング・マトリックスを確定すること、を含み、
前記基地局により受信した前記端末設備から報告のあるRI値が４である場合、前記基地局がプリコーディング・マトリックスの根拠とするデフォルトの第一プリコーディング・マトリックス指示情報及び第二プリコーディング・マトリックス指示情報と原始コードブックでの二つのコードブック索引ｉ１及びｉ２との対応関係を確定することは、具体的に、
（１）第一プリコーディング・マトリックス指示情報の値ｉ１∈｛０，１，２，３｝が原始Rank 4コードブックでのコードブック索引ｉ１に対応し、第二プリコーディング・マトリックス指示情報の値ｉ２∈｛０，１，２，３｝が原始Rank 4コードブックでのコードブック索引２ｉ２に対応すること、又は、
（２）第一プリコーディング・マトリックス指示情報の値ｉ１∈｛０，１，２，３｝が原始Rank 4コードブックでのコードブック索引ｉ１に対応し、第二プリコーディング・マトリックス指示情報の値ｉ２∈｛０，１，２，３｝が原始Rank 4コードブックでのコードブック索引
【数６７】
0005945765.tif 000125
に対応すること、又は、
（３）第一プリコーディング・マトリックス指示情報の値ｉ１∈｛０，１，２，３｝が原始Rank 4コードブックでのコードブック索引ｉ１に対応し、第二プリコーディング・マトリックス指示情報の値ｉ２∈｛０，１，２，３｝が原始Rank 4コードブックでのコードブック索引２＋ｉ２に対応すること、又は、
（４）第一プリコーディング・マトリックス指示情報の値ｉ１∈｛０，１｝が原始Rank 4コードブックでのコードブック索引
【数６８】
0005945765.tif 000126
に対応し、第二プリコーディング・マトリックス指示情報の値ｉ２∈｛０，１，・・・，７｝が原始Rank 4コードブックでのコードブック索引ｉ２に対応すること、又は、
（５）第一プリコーディング・マトリックス指示情報の値ｉ１∈｛０，１｝が原始Rank 4コードブックでのコードブック索引２ｉ１に対応し、第二プリコーディング・マトリックス指示情報の値ｉ２∈｛０，１，・・・，７｝が原始Rank 4コードブックでのコードブック索引ｉ２に対応すること（その中で、
【数６９】
0005945765.tif 000127
が
【数７０】
0005945765.tif 000128
以下の最大整数を表し、ｉｍｏｄ２はｉを２で割る時の余りを表す。）、
を含むことを特徴とする信号チャネル状態情報の伝送方法。
【請求項１１】
（１）基地局が端末設備に制御シグナルを発送し、前記端末設備に信号チャネル状態情報フィードバックを行うよう通知し、それに信号チャネル状態情報フィードバックで採用するフィードバックモードを通知することと、
（２）前記基地局が、前記フィードバックモードにより、前記端末設備が、デフォルトのプリコーディング・マトリックスの集合を圧縮することで得られる圧縮後のプリコーディング・マトリックス集合でRI値とプリコーディング・マトリックスとを確定し、デフォルトのプリコーディング・マトリックス指示情報と、前記デフォルトのプリコーディング・マトリックスに対応付けられた原始コードブックでのコードブック索引との対応関係によって、前記確定されたプリコーディング・マトリックスに対応する前記デフォルトのプリコーディング・マトリックスに対応付けられた前記原始コードブックでのコードブック索引に対応するプリコーディング・マトリックス指示情報の値を確定し、報告した前記RI値と前記プリコーディング・マトリックス指示情報を受信することと、
（３）前記基地局が受信したRI値とプリコーディング・マトリックス指示情報の値によって、前記デフォルトのプリコーディング・マトリックス指示情報と前記原始コードブックでのコードブック索引との対応関係に基づいてプリコーディング・マトリックスを確定することと、
を含み、
前記基地局が受信したRI値とプリコーディング・マトリックス指示情報の値によって、前記デフォルトのプリコーディング・マトリックス指示情報と原始コードブックでのコードブック索引との対応関係に基づいて、プリコーディング・マトリックスを確定することは、具体的に、
（４）前記基地局により受信した前記端末設備から報告のあるプリコーディング・マトリックス指示情報が具体的に第一プリコーディング・マトリックス指示情報と第二プリコーディング・マトリックス指示情報を含む場合、前記基地局がRI値及びデフォルトの第一プリコーディング・マトリックス指示情報及び第二プリコーディング・マトリックス指示情報と原始コードブックでの二つのコードブック索引ｉ１及びｉ２との対応関係によって、プリコーディング・マトリックスを確定すること、又は、
（５）前記基地局により受信した前記端末設備から報告のあるプリコーディング・マトリックス指示情報が具体的に一つのプリコーディング・マトリックス指示情報である場合、前記基地局がRI値及び前記デフォルトのプリコーディング・マトリックス指示情報と原始コードブックでの二つのコードブック索引から構成したコードブック索引対（ｉ１，ｉ２）との対応関係によって、プリコーディング・マトリックスを確定すること、又は、
（６）前記基地局により受信した前記端末設備から報告のあるプリコーディング・マトリックス指示情報が具体的に第一プリコーディング・マトリックス指示情報と第二プリコーディング・マトリックス指示情報から構成したプリコーディング・マトリックス指示情報対を含む場合、前記基地局がRI値及びデフォルトの第一プリコーディング・マトリックス指示情報と第二プリコーディング・マトリックス指示情報から構成したプリコーディング・マトリックス指示情報対及び原始コードブックでの二つのコードブック索引から構成したコードブック索引対（ｉ１，ｉ２）との対応関係によって、プリコーディング・マトリックスを確定すること、又は、
（７）前記基地局により受信した前記端末設備から報告のあるプリコーディング・マトリックス指示情報が具体的に一つのプリコーディング・マトリックスである場合、前記基地局がRI値及び前記デフォルトのプリコーディング・マトリックス指示情報と原始コードブックでの二つのコードブック索引ｉ１及びｉ２との対応関係によって、プリコーディング・マトリックスを確定すること、を含み、
前記基地局により受信した前記端末設備から報告のあるRI値が1である場合、前記基地局がプリコーディング・マトリックスの根拠とする前記デフォルトのプリコーディング・マトリックス指示情報と原始コードブックでの二つのコードブック索引から構成したコードブック索引対（ｉ１，ｉ２）との対応関係を確定することは、具体的に、
（１）プリコーディング・マトリックス指示情報の値ｉ∈｛０，１，・・・，１５｝が原始Rank 1コードブックでのコードブック索引対（ｉ１，ｉ２）に対応し、その中で、ｉ１＝ｉ，ｉ２＝２・（ｉｍｏｄ２）となること、又は、
（２）プリコーディング・マトリックス指示情報の値ｉ∈｛０，１，・・・，１５｝が原始Rank 1コードブックでのコードブック索引対（ｉ１，ｉ２）に対応し、その中で、ｉ１＝ｉ，ｉ２＝８＋２・（ｉｍｏｄ２）に対応すること、又は、
（３）プリコーディング・マトリックス指示情報の値ｉ∈｛０，１，・・・，１５｝が原始Rank 1コードブックでのコードブック索引対（ｉ１，ｉ２）に対応し、その中で、ｉ１＝ｉ，ｉ２＝ｉｍｏｄ４となること、又は、
（４）プリコーディング・マトリックス指示情報の値ｉ∈｛０，１，・・・，１５｝が原始Rank 1コードブックでのコードブック索引対（ｉ１，ｉ２）に対応し、その中で、ｉ１＝ｉ，ｉ２＝８＋２・（ｉｍｏｄ４）となること（その中で、ｉｍｏｄ２はｉを２で割る時の余りを表し、ｉｍｏｄ４はｉを４で割る時の余りを表す。）、
を含むことを特徴とする信号チャネル状態情報の伝送方法。
【請求項１２】
前記原始コードブックがLTE-Aシステム8アンテナポートコードブックである、ことを特徴とする請求項７乃至１１のいずれか１項に記載の方法。
【発明の詳細な説明】
【技術分野】
【０００１】
本発明は、通信技術分野、特に一種の信号チャネル状態情報の伝送方法に係る。
本出願は、2010年11月8日に中華人民共和国国家知識産権局に提出された、出願番号が201010539050.9である、発明の名称が「信号チャネル状態情報の伝送方法及び設備」との中国特許申請の優先権を有し、その内容全体は引用により本出願に導入される。
【背景技術】
【０００２】
マルチ入力マルチ出力（Multiple-Input Multiple-Output、MIMO）システムで、送信機がある方式で信号チャネル情報を得ると、信号チャネル特性によって発送信号を最適化でき、これで受信品質を向上し、それに受信機複雑度の要求を低減できる。実際のシステムの中で、一般的に信号チャネル情報量化の方式で信号チャネル情報をフィードバックすることによって、フィードバック支出を低減し、システム伝送効率を向上させる。
【０００３】
LTE（Long Time Evolved、高級長期進化）システムで、コードブックに基づく暗黙のCSI（Channel State Information、信号チャネル状態情報）フィードバック方法を採用する。UE（User Equipment、ユーザ設備、即ち、端末設備）は、パイロット周波数に基づいて下り信号チャネルを測定し、それに自身の受信処理アルゴリズムによって、基地局に、下りリンク所能支持的データ層数（Rank Indication、RI）及びプリコーディング・マトリックス指示情報（Precoding Matrix Indicator、PMI）を報告し、同様な場合、UEは、各コード文字の信号チャネル品質指示（Channel Quality Indicator、CQI）も報告する。その中で、CQIの計算プロセスの中で、UEは、基地局がその推薦されたRI/PMIを使用することを仮定する。
【０００４】
LTEシステムの中で、PMIに対する定義は下記の通りである。
2アンテナポート{0，1}に対して、相応なRI値が1である場合、PMI値ｎ∈｛０，１，２，３｝が以下の表1（LTEシステムでのプリコーディング・マトリックス指示情報と2アンテナポートコードブックでのコードブック索引との対応関係）のυ＝１でのコードブック索引ｎに対応する。
2アンテナポート{0，1}に対して、相応なRI値が２である場合、PMI値ｎ∈｛０，１｝が以下の表1のυ＝２でのコードブック索引ｎ＋１に対応する。
4アンテナポート{0，1，2，3}に対して、相応なRI値が２である場合、PMI値ｎ∈｛０，１，・・・，１５｝が以下の表2（LTEシステムでのプリコーディング・マトリックス指示情報と4アンテナポートコードブックでのコードブック索引との対応関係）のυ＝RI値でのコードブック索引ｎに対応する。
【０００５】
【表１】
0005945765.tif 000002
【表２】
0005945765.tif 000003
【０００６】
その中で、
【数１】
0005945765.tif 000004
となり、Iが４×４次元の単位マトリックスで、
【数２】
0005945765.tif 000005
が
【数３】
0005945765.tif 000006
の共役転位を表す。
【０００７】
LTE-A（Long Time Evolved Advanced、高級長期進化）システムの中で、相変わらずコードブックに基づく暗黙のCSIフィードバック方法を採用する。PMIのフィードバック精度を向上する為に、LTE-Aの中で、一つのプリコーディング・マトリックス（W）が二つのマトリックス（W1とW2）から合併されて構成され、W1とW2がそれぞれ二つのPMI（第一PMI値がW1に対応し、第二PMI値がW2に対応する）を通じて指示される。
【０００８】
その中で、2アンテナポートと4アンテナポートの下で相変わらず、LTE R8/9バージョンのコードブックを流用し、W1を単位マトリックスと定義し、第一PMI値は0ビット情報を含むので、フィードバックする必要がない。具体的に、LTE-Aシステムでのプリコーディング・マトリックス指示情報と8アンテナポートコードブックでのコードブック索引との対応関係は表3〜表10で示す通りである。
【０００９】
その中で、表3がCodebook for 1-layer CSI reporting using antenna ports 15 to 22（8アンテナポート（ポート15〜22）データ層数が1である情報状態の情報報告で使用されるコードブック）であり、即ち、LTE-Aシステムでの8アンテナポートRank 1コードブックである。
【表３】
0005945765.tif 000007
【００１０】
その中で、表4がCodebook for 2-layer CSI reporting using antenna ports 15 to 22（8アンテナポート（ポート15〜22）データ層数が２である情報状態の情報報告で使用されるコードブック）であり、即ち、LTE-Aシステムでの8アンテナポートRank 2コードブックである。
【表４】
0005945765.tif 000008
【００１１】
その中で、表5がCodebook for 3-layer CSI reporting using antenna ports 15 to 22（8アンテナポート（ポート15〜22）データ層数が3である情報状態の情報報告で使用されるコードブック）であり、即ち、LTE-Aシステムでの8アンテナポートRank 3のコードブックである。
【表５】
0005945765.tif 000009
【００１２】
その中で、表6がCodebook for 4-layer CSI reporting using antenna ports 15 to 22（8アンテナポート（ポート15〜22）データ層数が４である情報状態の情報報告で使用されるコードブック）であり、即ち、LTE-Aシステムでの8アンテナポートRank 4のコードブックである。
【表６】
0005945765.tif 000010
【００１３】
その中で、表7がCodebook for 1-layer CSI reporting using antenna ports 15 to 22（8アンテナポート（ポート15〜22）データ層数が5である情報状態の情報報告で使用されるコードブック）であり、即ち、LTE-Aシステムでの8アンテナポートRank 5コードブックである。
【表７】
0005945765.tif 000011
【００１４】
その中で、表8がCodebook for 1-layer CSI reporting using antenna ports 15 to 22（8アンテナポート（ポート15〜22）データ層数が6である情報状態の情報報告で使用されるコードブック）であり、即ち、LTE-Aシステムでの8アンテナポートRank 6コードブックである。
【表８】
0005945765.tif 000012
【００１５】
その中で、表9がCodebook for 1-layer CSI reporting using antenna ports 15 to 22（8アンテナポート（ポート15〜22）データ層数が7である情報状態の情報報告で使用されるコードブック）であり、即ち、LTE-Aシステムでの8アンテナポートRank 7コードブックである。
【表９】
0005945765.tif 000013
【００１６】
その中で、表10がCodebook for 1-layer CSI reporting using antenna ports 15 to 22（8アンテナポート（ポート15〜22）データ層数が8である情報状態の情報報告で使用されるコードブック）であり、即ち、LTE-Aシステムでの8アンテナポートRank 8コードブックである。
【表１０】
0005945765.tif 000014
【００１７】
その中で、前記各表の中で、
【数４】
0005945765.tif 000015
となり、
【数５】
0005945765.tif 000016
はマトリックス転位を表す。
【００１８】
コードブック圧縮を行わない状況の元で、PMIを下記の通り定義する。
【００１９】
8アンテナポートについて、相応なRI値が1である場合、第一PMI値ｉ１∈｛０，１，２，・・・，１５｝が表3でのコードブック索引ｉ１に対応し、第二PMI値ｉ２∈｛０，１，２，・・・，１５｝が表3でのコードブック索引ｉ２に対応する。
【００２０】
8アンテナポートについて、相応なRI値が２である場合、第一PMI値ｉ１∈｛０，１，２，・・・，１５｝が表4でのコードブック索引ｉ１に対応し、第二PMI値ｉ２∈｛０，１，２，・・・，１５｝が表4でのコードブック索引ｉ２に対応する。
【００２１】
8アンテナポートについて、相応なRI値が3である場合、第一PMI値ｉ１∈｛０，１，２，３｝が表5でのコードブック索引ｉ１に対応し、第二PMI値ｉ２∈｛０，１，２，・・・，１５｝が表5でのコードブック索引ｉ２に対応する。
【００２２】
8アンテナポートについて、相応なRI値が４である場合、第一PMI値ｉ１∈｛０，１，２，３｝が表6でのコードブック索引ｉ１に対応し、第二PMI値ｉ２∈｛０，１，２，・・・，１５｝が表6でのコードブック索引ｉ２に対応する。
【００２３】
8アンテナポートについて、相応なRI値が5である場合、第一PMI値ｉ１∈｛０，１，２，３｝が表3でのコードブック索引ｉ１に対応し、第二PMI値ｉ２∈｛０｝が表7でのコードブック索引ｉ２に対応する。
【００２４】
8アンテナポートについて、相応なRI値が6である場合、第一PMI値ｉ１∈｛０，１，２，３｝が表4でのコードブック索引ｉ１に対応し、第二PMI値ｉ２∈｛０｝が表8でのコードブック索引ｉ２に対応する。
【００２５】
8アンテナポートについて、相応なRI値が7である場合、第一PMI値ｉ１∈｛０，１，２，３｝が表5でのコードブック索引ｉ１に対応し、第二PMI値ｉ２∈｛０｝が表9でのコードブック索引ｉ２に対応する。
【００２６】
8アンテナポートについて、相応なRI値が8である場合、第一PMI値ｉ１∈｛０｝が表6でのコードブック索引ｉ１に対応し、第二PMI値ｉ２∈｛０｝が表10でのコードブック索引ｉ２に対応する。
【００２７】
LTE-Aシステムの中で、8アンテナポートでのPUCCH 1-1フィードバックモードをサポートし、RI、ブロードバンドPMIとブロードバンドCQIフィードバックを実現する。現在、二種のPUCCH 1-1フィードバックモードがあり、それぞれsubmode 1及びsubmode 2と称される。submode 2モードの下で、RIが単独な一つのサブフレームで報告し、第一PMI、ブロードバンド第二PMIとブロードバンドCQIが同じサブフレームで報告し、その中で、第一PMI、ブロードバンド第二PMIとブロードバンドCQI報告の上り制御情報（Uplink Control Information、UCI）ドメインは表11又は表12で示す通りである。
【００２８】
【表１１】
0005945765.tif 000017
【表１２】
0005945765.tif 000018
その中で、TBDは、現在標準でまだ決めていないことを表す。
【００２９】
ドメイン内の総ビット数は11ビットを超えない。8アンテナポート状況の下で、Rank=1の場合、表3での第一PMI値と第二PMI値を合わせて8ビット必要で、4ビットブロードバンドCQIを加えて、合計12ビットであり、11ビットを超える。
【００３０】
Rank=2の場合、表4での第一PMI値と第二PMI値を合わせて8ビット必要で、4ビットブロードバンドCQIと3ビット空間的な差分CQIを加えて、合計15ビットであり、11ビットを超える。
【００３１】
Rank=3の場合、表5での第一PMI値と第二PMI値を合わせて6ビット必要で、4ビットブロードバンドCQIと3ビット空間的な差分CQIを加えて、合計13ビットであり、11ビットを超える。
【００３２】
Rank=4の場合、表6での第一PMI値と第二PMI値を合わせて5ビット必要で、4ビットブロードバンドCQIと3ビット空間的な差分CQIを加えて、合計12ビットであり、11ビットを超える。
【００３３】
LTE-Aシステムの中で、又8アンテナポートでのPUCCH 2-1フィードバックモードをサポートし、プリコーディング類指示（Precoder Type Indication，PTI）に基づいてRI、ブロードバンド第一PMI、ブロードバンド第二PMIとCQIフィードバックを実現し、又はRI、ブロードバンド第二PMIとブロードバンドCQI、サブバンド第二PMIとサブバンドCQIのフィードバックを実現する。その中で、ブロードバンドPMIとブロードバンドCQIにより報告する上り制御情報ドメインは表13で示すようである。
【表１３】
0005945765.tif 000019
【００３４】
ドメイン内の総ビット数が11ビットを超えないこと。8アンテナポートの状況の下で、Rank=２の場合、表4での第二PMI値を合わせて４ビット必要で、そのうえ、4ビットサブバンドCQIと、3ビット空間的な差分CQIと、最多2ビットサブバンド位置指示とを加えて、合計13ビットであり、11ビットを超える。
【００３５】
Rank=３の場合、表5での第二PMI値を合わせて４ビット必要で、4ビットサブバンドCQIと、3ビット空間的な差分CQIと、最多2ビットサブバンド位置指示とを加えて、合計13ビットあり、１１ビットを超える。
【００３６】
Rank=4の場合、表6での第二PMI値を合わせて3ビット必要で、4ビットサブバンドCQIと、3ビット空間的な差分CQIと、最多2ビットサブバンド位置指示とを加えて、合計１2ビットあり、１１ビットを超える。
【００３７】
上記場合に、コードブックを圧縮する必要があり、但し、コードブック圧縮後、改めて第一PMI値及びブロードバンド第二PMI値とコードブック索引ｉ１及びｉ２との関係を定義する必要がある。但し、現在コードブック圧縮後の第一PMI値及びブロードバンド第二PMI値とコードブック索引ｉ１及びｉ２との関係の定義又はPMIとコードブック索引ｉ１及びｉ２との関係の定義がない。
【発明の概要】
【発明が解決しようとする課題】
【００３８】
本発明の実施形態を実現するプロセスで、申請者は、現有技術に少なくとも下記問題が存在することを発見した。
現在コードブック圧縮後の第一PMI値及びブロードバンド第二PMI値とコードブック索引ｉ１及びｉ２との関係の定義又はPMIとコードブック索引ｉ１及びｉ２との関係の定義がない。
【課題を解決するための手段】
【００３９】
本発明の実施形態は、一種の信号チャネル状態情報の伝送方法と設備を提供し、現有の技術で、コードブック圧縮後のプリコーディング・マトリックス指示情報とコードブック索引との対応関係の定義がない問題を解決する。
【００４０】
前記目的を達成する為に、一方、本発明の実施形態は、一種の信号チャネル状態情報の伝送方法を提供し、下記の内容を含む。
（１）前記端末設備が前記基地局により発送した制御シグナルを受信し、前記制御シグナルが前記端末設備に、信号チャネル状態情報フィードバックを行うよう通知し、それに信号チャネル状態情報フィードバックにより採用されるフィードバックモードを通知することと、
（２）前記端末設備が圧縮後のプリコーディング・マトリックス集合で、RI値とプリコーディング・マトリックスを確定し、それにデフォルトのプリコーディング・マトリックス指示情報と原始コードブックでのコードブック索引との対応関係によって、相応なプリコーディング・マトリックス指示情報の値を確定することと、
（３）前記端末設備が前記フィードバックモードによって、確定された前記RI値と前記プリコーディング・マトリックス指示情報の値とを前記基地局に発送することと、を含む。
【００４１】
もう一方、本発明の実施形態も一種の端末設備を提供し、下記構成成分を含む。
（１）前記基地局により発送した制御シグナルを受信し、前記制御シグナルが前記端末設備に、信号チャネル状態情報フィードバックを行うよう通知し、それに信号チャネル状態情報フィードバックに採用されるフィードバックモードを通知する受信モジュールと、
（２）プリコーディング・マトリックス指示情報と原始コードブックでのコードブック索引との対応関係を設置する設置モジュールと、
（３）圧縮後のプリコーディング・マトリックス集合でRI値とプリコーディング・マトリックスを確定し、それにRI値及び前記設置モジュールにより設置したプリコーディング・マトリックス指示情報と原始コードブックでのコードブック索引との対応関係によって、相応なプリコーディング・マトリックス指示情報の値を確定する確定モジュールと、
（４）前記受信モジュールにより受信した制御シグナルが通知するフィードバックモードで前記確定モジュールにより確定された前記RI値と前記プリコーディング・マトリックス指示情報の値とを前記基地局に発送する発送モジュールと、を含む。
【００４２】
もう一方、本発明の実施形態も一種の信号チャネル状態情報の伝送方法を提供し、下記を含む。
（１）基地局が端末設備に制御シグナルを発送し、前記端末設備に、信号チャネル状態情報フィードバックを行うよう通知し、それに、信号チャネル状態情報フィードバックに採用されるフィードバックモードを通知することと、
（２）前記基地局が前記フィードバックモードに基づいて、前記端末設備により報告されたRIとプリコーディング・マトリックス指示情報を受信することと、
（３）前記基地局が、受信したRI値とプリコーディング・マトリックス指示情報の値によって、デフォルトのプリコーディング・マトリックス指示情報と原始コードブックでのコードブック索引との対応関係に基づいて、プリコーディング・マトリックスを確定することと、を含む。
【００４３】
もう一方、本発明の実施形態も一種の基地局を提供し、下記構成成分を含む。
（１）プリコーディング・マトリックス指示情報と原始コードブックでのコードブック索引との対応関係を設置する設置モジュールと、
（２）端末設備に制御シグナルを発送し、前記端末設備に、信号チャネル状態情報フィードバックを行うよう通知し、それに、信号チャネル状態情報フィードバックに採用されるフィードバックモードを通知する発送モジュールと、
（３）前記発送モジュールにより通知したフィードバックモードに基づいて、前記端末設備により報告されたRI値とプリコーディング・マトリックス指示情報の値を受信する受信モジュールと、
（４）前記受信モジュールにより受信したRI値とプリコーディング・マトリックス指示情報の値によって、前記設置モジュールにより設置したプリコーディング・マトリックス指示情報と原始コードブックでのコードブック索引との対応関係に基づいてプリコーディング・マトリックスを確定する確定モジュールと、を含む。
【発明の効果】
【００４４】
現有技術と比べると、本発明の実施形態は下記の優位性を持つ。
本発明の実施形態の技術案を応用することによって、PUCCH1-1 submode2とPUCCH 2-1フィードバックモードを採用するLTE-Aシステムの中で、8アンテナポートPMIフィードバックが同じサブフレームで報告するPUCCH容量制限でコードブック圧縮を行う必要のある状況に対して、コードブック圧縮後のプリコーディング・マトリックス指示情報又はプリコーディング・マトリックス指示情報対とコードブック索引又はコードブック索引対との対応関係を定義することを通じて、基地局と端末設備との信号チャネル状態情報のフィードバックと受信を実現する。
【図面の簡単な説明】
【００４５】
【図１】本発明の実施形態で提案された一種の信号チャネル状態情報伝送方法の端末設備側での流れ図である。
【図２】本発明の実施形態で提案された一種の信号チャネル状態情報の伝送方法の基地局側での流れ図である。
【図３】本発明の実施形態で提案された一種の端末設備の構造図である。
【図４】本発明の実施形態で提案された一種の基地局の構造図である。
【発明を実施するための形態】
【００４６】
背景技術で言及された現有技術案の欠点を鑑みて、本発明の実施形態は、一種の信号チャネル状態情報の伝送方案を提案し、当該技術案の応用を通じて、PUCCH1-1でのモードsubmode 2を採用する応用場面又はPUCCHモード2-1の中で、基地局と端末設備との信号チャネル状態情報のフィードバックと受信を実現できる。
【００４７】
図１で示すものは、本発明の実施形態で提案された一種の信号チャネル状態情報の伝送方法の流れ図で、具体的に下記手順を含む。
手順S101では、端末設備が基地局により発送した制御シグナルを受信する。
【００４８】
その中で、制御シグナルが、端末設備に、信号チャネル状態情報フィードバックを行うよう通知し、それに信号チャネル状態情報フィードバックに採用されるフィードバックモードを通知する。
【００４９】
本発明の実施形態により応用される応用場面に対して、手順S101の前に、端末設備もまた基地局により発送した放送情報を受信し、当面基地局が8アンテナポート配置であることを知る。
【００５０】
手順S102では、端末設備が圧縮後のプリコーディング・マトリックス集合でRI値とプリコーディング・マトリックスを確定し、それにデフォルトのプリコーディング・マトリックス指示情報と原始コードブックでのコードブック索引との対応関係によって、相応なプリコーディング・マトリックス指示情報の値を確定する。
【００５１】
指摘すべきことは、実際の応用場面の中で、前記の原始コードブックが具体的にLTE-Aシステムでの8アンテナポートコードブックで、本発明の実施形態の後続説明の中で、同じように類似する状況があり、このような名称変化は本発明の保護範囲に影響を与えず、同じである場合、説明の便利で、後続文書の説明のプロセスで、原始コードブックに対する図示はここでの説明を参照し、ここで繰り返して述べない。
【００５２】
実際の応用場面の中で、本手順の具体的な実現プロセスは、具体的に下記の四種の場合を含む。
場合一では、端末設備が確定する必要のあるプリコーディング・マトリックス指示情報が具体的に第一プリコーディング・マトリックス指示情報と第二プリコーディング・マトリックス指示情報を含む場合、端末設備がRI値及びデフォルトの第一プリコーディング・マトリックス指示情報と第二プリコーディング・マトリックス指示情報と原始コードブックでの二つのコードブック索引ｉ１及びｉ２との対応関係によって、第一プリコーディング・マトリックス指示情報と第二プリコーディング・マトリックス指示情報の値を確定する。
【００５３】
実際の応用場面の中で、異なるRI値によって、本状況での対応関係は具体的に下記の幾つかのタイプを含む。
（１）端末設備により確定されたRI値が１である場合、前記の対応関係は具体的に下記を含む。
（１−１）第一プリコーディング・マトリックス指示情報の値ｉ１∈｛０，１，・・・，７｝が原始Rank １コードブックでのコードブック索引
【数６】
0005945765.tif 000020
に対応し、第二プリコーディング・マトリックス指示情報の値ｉ２∈｛０，１，・・・，１５｝が原始Rank １コードブックでのコードブック索引ｉ２に対応すること、又は、
（１−２）第一プリコーディング・マトリックス指示情報の値ｉ１∈｛０，１，・・・，７｝が原始Rank １コードブックでのコードブック索引２ｉ１に対応し、第二プリコーディング・マトリックス指示情報の値ｉ２∈｛０，１，・・・，１５｝が原始Rank １コードブックでのコードブック索引ｉ２に対応すること、又は、
（１−３）第一プリコーディング・マトリックス指示情報の値ｉ１∈｛０，１，・・・，１５｝が原始Rank １コードブックでのコードブック索引ｉ１に対応し、第二プリコーディング・マトリックス指示情報の値ｉ２∈｛０，１，・・・，７｝が原始Rank １コードブックでのコードブック索引ｉ２に対応すること、又は、
（１−４）第一プリコーディング・マトリックス指示情報の値ｉ１∈｛０，１，・・・，１５｝が原始Rank 1コードブックでのコードブック索引ｉ１に対応し、それに、当該第二プリコーディング・マトリックス指示情報の値がｉ２∈｛０，１，２，３｝である場合、原始Rank 1コードブックでのコードブック索引ｉ２に対応し、第二プリコーディング・マトリックス指示情報の値がｉ２∈｛４，５，６，７｝である場合、原始Rank 1コードブックでのコードブック索引ｉ２＋８に対応すること、又は、
（１−５）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１，・・・，７｝が原始Rank 1コードブックでのコードブック索引ｉ２＋４に対応すること、又は、
（１−６）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１，・・・，７｝が原始Rank 1コードブックでのコードブック索引ｉ２＋８に対応すること、又は、
（１−７）第一プリコーディング・マトリックス指示情報の値ｉ１∈｛０，１，・・・，７｝が原始Rank 1コードブックでのコードブック索引
【数７】
0005945765.tif 000021
に対応し、第二プリコーディング・マトリックス指示情報の値ｉ２∈｛０，１｝が原始Rank 1コードブックでのコードブック索引２ｉ２に対応すること、又は、
（１−８）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引２ｉ２に対応すること、又は、
（１−９）第一プリコーディング・マトリックス指示情報の値ｉ１∈｛０，１，・・・，７｝が原始Rank 1コードブックでのコードブック索引
【数８】
0005945765.tif 000022
に対応し、第二プリコーディング・マトリックス指示情報の値ｉ２∈｛０，１｝が原始Rank 1コードブックでのコードブック索引２ｉ２＋４に対応すること、又は、
（１−１０）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引２ｉ２＋４に対応すること、又は、
（１−１１）第一プリコーディング・マトリックス指示情報の値ｉ１∈｛０，１，・・・，７｝が原始Rank 1コードブックでのコードブック索引
【数９】
0005945765.tif 000023
に対応し、第二プリコーディング・マトリックス指示情報の値ｉ２∈｛０，１｝が原始Rank 1コードブックでのコードブック索引２ｉ２＋８に対応すること、又は、
（１−１２）第一プリコーディング・マトリックス指示情報の値ｉ１∈｛０，１，・・・，７｝が原始Rank 1コードブックでのコードブック索引２ｉ２に対応し、第二プリコーディング・マトリックス指示情報の値ｉ２∈｛０，１｝が原始Rank 1コードブックでのコードブック索引２ｉ２＋８に対応すること、又は、
（１−１３）第一プリコーディング・マトリックス指示情報の値ｉ１∈｛０，１，・・・，７｝が原始Rank 1コードブックでのコードブック索引
【数１０】
0005945765.tif 000024
に対応し、第二プリコーディング・マトリックス指示情報の値ｉ２∈｛０，１｝が原始Rank 1コードブックでのコードブック索引２ｉ２＋１２に対応すること、又は、
（１−１４）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引２ｉ２＋１２に対応すること、又は、
（１−１５）第一プリコーディング・マトリックス指示情報の値ｉ１∈｛０，１，・・・，７｝が原始Rank 1コードブックでのコードブック索引
【数１１】
0005945765.tif 000025
に対応し、かつ、当該第二プリコーディング・マトリックス指示情報の値ｉ２∈｛０，１｝である場合、原始Rank 1コードブックでのコードブック索引２ｉ２に対応し、当該第二プリコーディング・マトリックス指示情報の値ｉ２∈｛３，４｝である場合、原始Rank 1コードブックでのコードブック索引２ｉ２＋５に対応すること、又は、
（１−１６）第一プリコーディング・マトリックス指示情報の値ｉ１∈｛０，１，・・・，７｝が原始Rank 1コードブックでのコードブック索引２ｉ１に対応し、それに、当該第二プリコーディング・マトリックス指示情報の値ｉ２∈｛０，１｝である場合、原始Rank 1コードブックでのコードブック索引２ｉ２に対応し、第二プリコーディング・マトリックス指示情報の値ｉ２∈｛３，４｝である場合、原始Rank 1コードブックでのコードブック索引２ｉ２＋５に対応すること、又は、
（１−１７）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１｝が原始Rank 1コードブックでのコードブック索引２ｉ２に対応すること、又は、
（１−１８）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２∈｛０，１｝が原始Rank 1コードブックでのコードブック索引８＋２ｉ２に対応すること、又は、
（１−１９）第一プリコーディング・マトリックス指示情報の値ｉ１∈｛０，１，・・・，７｝が原始Rank 1コードブックでのコードブック索引
【数１２】
0005945765.tif 000026
に対応し、かつ、第二プリコーディング・マトリックス指示情報の値ｉ２∈｛０，１｝である場合、原始Rank 1コードブックでのコードブック索引２ｉ２に対応し、当該第二プリコーディング・マトリックス指示情報の値ｉ２∈｛２，３｝である場合、原始Rank 1コードブックでのコードブック索引８＋２ｉ２に対応すること、又は、
（１−２０）第一プリコーディング・マトリックス指示情報の値ｉ１∈｛０，１，・・・，７｝が原始Rank 1コードブックでのコードブック索引２ｉ１に対応し、かつ、当該第二プリコーディング・マトリックス指示情報の値ｉ２∈｛０，１｝である場合、原始Rank 1コードブックでのコードブック索引２ｉ２に対応し、第二プリコーディング・マトリックス指示情報の値ｉ２∈｛２，３｝である場合、原始Rank 1コードブックでのコードブック索引８＋２ｉ２に対応すること、又は、
（１−２１）第一プリコーディング・マトリックス指示情報の値ｉ１∈｛０，１，・・・，７｝が原始Rank 1コードブックでのコードブック索引
【数１３】
0005945765.tif 000027
に対応し、第二プリコーディング・マトリックス指示情報の値ｉ２∈｛０，１｝が原始Rank 1コードブックでのコードブック索引８ｉ２に対応すること、又は、
（１−２２）第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引８ｉ２に対応すること、又は、
（１−２３）第一プリコーディング・マトリックス指示情報の値ｉ１∈｛０，１，・・・，１５｝が原始Rank 1コードブックでのコードブック索引ｉ１に対応し、第二プリコーディング・マトリックス指示情報の値ｉ２＝０が原始Rank 1コードブックでのコードブック索引ｉ２＝０に対応すること、を含む。
（その中で、
【数１４】
0005945765.tif 000028
が
【数１５】
0005945765.tif 000029
以下の最大整数を表す）。
【００５４】
（２）端末設備により確定されたRI値が２である場合、前記の対応関係は具体的に下記を含む。
（２−１）第一プリコーディング・マトリックス指示情報の値ｉ１∈｛０，１，・・・，７｝が原始Rank 2コードブックでのコードブック索引
【数１６】
0005945765.tif 000030
に対応し、第二プリコーディング・マトリックス指示情報の値ｉ２∈｛０，１｝が原始Rank 2コードブックでのコードブック索引ｉ２に対応すること、又は、
（２−２）第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引ｉ２に対応すること、又は、
（２−３）第一プリコーディング・マトリックス指示情報の値ｉ１∈｛０，１，・・・，７｝が原始Rank 2コードブックでのコードブック索引
【数１７】
0005945765.tif 000031
に対応し、第二プリコーディング・マトリックス指示情報の値ｉ２∈｛０，１｝が原始Rank 2コードブックでのコードブック索引４＋ｉ２に対応すること、又は、
（２−４）第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引４＋ｉ２に対応すること、又は、
（２−５）第一プリコーディング・マトリックス指示情報の値ｉ１∈｛０，１，・・・，７｝が原始Rank 2コードブックでのコードブック索引
【数１８】
0005945765.tif 000032
に対応し，第二プリコーディング・マトリックス指示情報の値ｉ２∈｛０，１｝が原始Rank 2コードブックでのコードブック索引４ｉ２に対応すること、又は、
（２−６）第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引４ｉ２に対応すること、又は、
（２−７）第一プリコーディング・マトリックス指示情報の値ｉ２∈｛０，１，・・・，１５｝が原始Rank 2コードブックでのコードブック索引ｉ１に対応し、第二プリコーディング・マトリックス指示情報の値ｉ２＝０が原始Rank 2コードブックでのコードブック索引ｉ２＝０に対応すること、又は、
（２−８）第一プリコーディング・マトリックス指示情報の値ｉ１∈｛０，１，・・・，１５｝が原始Rank 2コードブックでのコードブック索引ｉ１に対応し、第二プリコーディング・マトリックス指示情報の値ｉ２＝０が原始Rank 2コードブックでのコードブック索引ｉ２＝４に対応すること、又は、
（２−９）第一プリコーディング・マトリックス指示情報の値ｉ１∈｛０，１，・・・，１５｝が原始Rank 2コードブックでのコードブック索引ｉ１に対応し、第二プリコーディング・マトリックス指示情報の値ｉ２∈｛０，１，２，３｝が原始Rank 2コードブックでのコードブック索引２ｉ２に対応すること、又は、
（２−１０）第一プリコーディング・マトリックス指示情報の値ｉ１∈｛０，１，・・・，７｝が原始Rank 2コードブックでのコードブック索引
【数１９】
0005945765.tif 000033
に対応し、第二プリコーディング・マトリックス指示情報の値ｉ２∈｛０，１｝が原始Rank 2コードブックでのコードブック索引５ｉ２に対応すること、又は、
（２−１１）第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引５ｉ２に対応すること（その中で、
【数２０】
0005945765.tif 000034
が
【数２１】
0005945765.tif 000035
以下の最大整数を表す）、を含む。
【００５５】
（３）当該端末設備で確定されたRI値が3である場合、前記の対応関係は具体的に下記を含む。
（３−１）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引４ｉ２に対応すること、又は、
（３−２）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引４ｉ２＋１に対応すること、又は、
（３−３）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引４ｉ２＋２に対応すること、又は、
（３−４）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引４ｉ２＋３に対応すること、又は、
（３−５）第一プリコーディング・マトリックス指示情報の値ｉ１∈｛０，１｝が原始Rank 3コードブックでのコードブック索引
【数２２】
0005945765.tif 000036
に対応し、第二プリコーディング・マトリックス指示情報の値ｉ２∈｛０，１，・・・，７｝が原始Rank 3コードブックでのコードブック索引
【数２３】
0005945765.tif 000037
に対応すること、又は、
（３−６）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引
【数２４】
0005945765.tif 000038
に対応すること、又は、
（３−７）第一プリコーディング・マトリックス指示情報の値ｉ１∈｛０，１｝が原始Rank 3コードブックでのコードブック索引
【数２５】
0005945765.tif 000039
に対応し、第二プリコーディング・マトリックス指示情報の値ｉ２∈｛０，１，・・・，７｝が原始Rank 3コードブックでのコードブック索引２ｉ２に対応すること、又は、
（３−８）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引２ｉ２に対応すること、又は、
（３−９）第一プリコーディング・マトリックス指示情報の値ｉ１∈｛０，１｝が原始Rank 3コードブックでのコードブック索引
【数２６】
0005945765.tif 000040
に対応し、第二プリコーディング・マトリックス指示情報の値ｉ２∈｛０，１，・・・，７｝が原始Rank 3コードブックでのコードブック索引
【数２７】
0005945765.tif 000041
に対応すること、又は、
（３−１０）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引
【数２８】
0005945765.tif 000042
に対応すること、又は、
（３−１１）第一プリコーディング・マトリックス指示情報の値ｉ１∈｛０，１｝が原始Rank 3コードブックでのコードブック索引
【数２９】
0005945765.tif 000043
に対応し、第二プリコーディング・マトリックス指示情報の値ｉ２∈｛０，１，・・・，７｝が原始Rank 3コードブックでのコードブック索引２ｉ２＋１に対応すること、又は、
（３−１２）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引２ｉ２＋１に対応すること、又は、
（３−１３）第一プリコーディング・マトリックス指示情報の値ｉ１∈｛０，１｝が原始Rank 3コードブックでのコードブック索引
【数３０】
0005945765.tif 000044
に対応し、第二プリコーディング・マトリックス指示情報の値ｉ２∈｛０，１，・・・，７｝が原始Rank 3コードブックでのコードブック索引
【数３１】
0005945765.tif 000045
に対応すること、又は、
（３−１４）第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引
【数３２】
0005945765.tif 000046
に対応すること、又は、
（３−１５）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引ｉ２に対応すること、又は、
（３−１６）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引ｉ２＋４に対応すること、又は、
（３−１７）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引ｉ２＋８に対応すること、又は、
（３−１８）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引ｉ２＋１２に対応すること、又は、
（３−１９）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引
【数３３】
0005945765.tif 000047
に対応すること、又は、
（３−２０）第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引
【数３４】
0005945765.tif 000048
に対応すること、を含む。
その中で、
【数３５】
0005945765.tif 000049
が
【数３６】
0005945765.tif 000050
以下の最大整数を表し、ｉｍｏｄ２はｉを２で割る時の余りを表す。
【００５６】
（４）端末設備により確定されたRI値が４である場合、前記対応関係は具体的に下記を含む。
（４−１）第一プリコーディング・マトリックス指示情報の値ｉ１∈｛０，１，２，３｝が原始Rank 4コードブックでのコードブック索引ｉ１に対応し、第二プリコーディング・マトリックス指示情報の値ｉ２∈｛０，１，２，３｝が原始Rank 4コードブックでのコードブック索引２ｉ２に対応すること、又は、
（４−２）第一プリコーディング・マトリックス指示情報の値ｉ１∈｛０，１，２，３｝が原始Rank 4コードブックでのコードブック索引ｉ１に対応し、第二プリコーディング・マトリックス指示情報の値ｉ２∈｛０，１，２，３｝が原始Rank 4コードブックでのコードブック索引
【数３７】
0005945765.tif 000051
に対応すること、又は、
（４−３）第一プリコーディング・マトリックス指示情報の値ｉ１∈｛０，１，２，３｝が原始Rank 4コードブックでのコードブック索引ｉ１に対応し、第二プリコーディング・マトリックス指示情報の値ｉ２∈｛０，１，２，３｝が原始Rank 4コードブックでのコードブック索引２＋ｉ２に対応すること、又は、
（４−４）第一プリコーディング・マトリックス指示情報の値ｉ１∈｛０，１｝が原始Rank 4コードブックでのコードブック索引
【数３８】
0005945765.tif 000052
に対応し、第二プリコーディング・マトリックス指示情報の値ｉ２∈｛０，１，・・・，７｝が原始Rank 4コードブックでのコードブック索引ｉ２に対応すること、又は、
（４−５）第一プリコーディング・マトリックス指示情報の値ｉ１∈｛０，１｝が原始Rank 4コードブックでのコードブック索引２ｉ１に対応し、第二プリコーディング・マトリックス指示情報の値ｉ２∈｛０，１，・・・，７｝が原始Rank 4コードブックでのコードブック索引ｉ２に対応すること、を含む。
その中で、
【数３９】
0005945765.tif 000053
が
【数４０】
0005945765.tif 000054
以下の最大整数を表し、ｉｍｏｄ２はｉを２で割る時の余りを表す。
【００５７】
具体的に、PUCCH1-1submode2について、第一プリコーディング・マトリックス指示情報の値と第二プリコーディング・マトリックス指示情報の値とコードブック索引ｉ１及びｉ２との関係を下記の通り説明できる。
RI=1である場合、第一プリコーディング・マトリックス指示情報の値ｉ１∈｛０，１，・・・，７｝が原始Rank 1コードブックでのコードブック索引２ｉ１に対応し、第二プリコーディング・マトリックス指示情報の値ｉ２∈｛０，１｝が原始Rank 1コードブックでのコードブック索引２ｉ２に対応する。
RI=２である場合、第一プリコーディング・マトリックス指示情報の値ｉ１∈｛０，１，・・・，７｝が原始Rank 2コードブックでのコードブック索引２ｉ１に対応し、第二プリコーディング・マトリックス指示情報の値ｉ２∈｛０，１｝が原始Rank 2コードブックでのコードブック索引ｉ２に対応する。
RI=3である場合、第一プリコーディング・マトリックス指示情報の値ｉ１∈｛０，１｝が原始Rank 3コードブックでのコードブック索引２ｉ１に対応し、第二プリコーディング・マトリックス指示情報の値ｉ２∈｛０，１，・・・，７｝が原始Rank 3コードブックでのコードブック索引
【数４１】
0005945765.tif 000055
に対応する。
RI=4である場合、第一プリコーディング・マトリックス指示情報の値ｉ１∈｛０，１｝が原始Rank 4コードブックでのコードブック索引２ｉ１に対応し、第二プリコーディング・マトリックス指示情報の値ｉ２∈｛０，１，・・・，７｝が原始Rank 4コードブックでのコードブック索引ｉ２に対応する。
【００５８】
RI>4状況の下で、コードブック圧縮を行う必要がないので、非コードブック圧縮状況の下での第一プリコーディング・マトリックス指示情報の値及び第二プリコーディング・マトリックス指示情報の値とコードブック索引ｉ１及びｉ２との対応関係を採用できる。
【００５９】
相応的に、PUCCH1-1submode2について、第一PMIの値及び第二PMIの値とコードブック索引ｉ１及びｉ２との関係は表14で示す通りである。
【表１４】
0005945765.tif 000056
【００６０】
具体的に、PUCCH2-1について、第一プリコーディング・マトリックス指示情報の値をコードブックで圧縮する必要がないので、非コードブック圧縮状況の下での第一プリコーディング・マトリックス指示情報の値とコードブック索引ｉ１との関係によって実施し、第二プリコーディング・マトリックス指示情報の値とコードブック索引ｉ２との関係を下記の通り説明できる。
【００６１】
RI=2である場合、第一プリコーディング・マトリックス指示情報の値ｉ１∈｛０，１，・・・，１５｝が原始Rank 2コードブックでのコードブック索引ｉ１に対応し、第二プリコーディング・マトリックス指示情報の値ｉ２∈｛０，１，２，３｝が原始Rank 2コードブックでのコードブック索引２ｉ２に対応する。
【００６２】
当該RI=3である場合、第一プリコーディング・マトリックス指示情報の値ｉ１∈｛０，１，２，３｝が原始Rank 3コードブックでのコードブック索引ｉ１に対応し、第二プリコーディング・マトリックス指示情報の値ｉ２∈｛０，１，２，３｝が原始Rank 3コードブックでのコードブック索引
【数４２】
0005945765.tif 000057
に対応する。
【００６３】
RI=4である場合、第一プリコーディング・マトリックス指示情報の値ｉ１∈｛０，１，２，３｝が原始Rank 4コードブックでのコードブック索引ｉ１に対応し、第二プリコーディング・マトリックス指示情報の値ｉ２∈｛０，１，２，３｝が原始Rank 4コードブックでのコードブック索引２ｉ２に対応する。
【００６４】
RI=1とRI>4状況の下でコードブック圧縮を行う必要がないので、非コードブック圧縮状況の下での第一プリコーディング・マトリックス指示情報の値及び第二プリコーディング・マトリックス指示情報の値とコードブック索引ｉ１及びｉ２との対応関係を採用できる。
【００６５】
相応的に、PUCCH2-1に対して、第二PMIの値とコードブック索引ｉ２との関係は表15で示す通りである。
【表１５】
0005945765.tif 000058
【００６６】
場合二では、端末設備が確定する必要のあるプリコーディング・マトリックス指示情報が具体的に一つのプリコーディング・マトリックス指示情報である場合、端末設備がRI値及びデフォルトのプリコーディング・マトリックス指示情報と原始コードブックでの二つのコードブック索引から構成したコードブック索引対（ｉ１，ｉ２）との対応関係によって、プリコーディング・マトリックス指示情報の値を確定する。
【００６７】
具体的に、端末設備により確定したRI値が1である場合、本状況での対応関係は具体的に下記を含む。
（１）プリコーディング・マトリックス指示情報の値ｉ∈｛０，１，・・・，１５｝が原始Rank 1コードブックでのコードブック索引対（ｉ１，ｉ２）に対応し、その中で、ｉ１＝ｉ，ｉ２＝２・（ｉｍｏｄ２）であること、又は、
（２）プリコーディング・マトリックス指示情報の値ｉ∈｛０，１，・・・，１５｝が原始Rank 1コードブックでのコードブック索引対（ｉ１，ｉ２）に対応し、その中で、ｉ１＝ｉ、ｉ２＝８＋２・（ｉｍｏｄ２）であること、又は、
（３）プリコーディング・マトリックス指示情報の値ｉ∈｛０，１，・・・，１５｝が原始Rank 1コードブックでのコードブック索引対（ｉ１，ｉ２）に対応し、その中で、ｉ１＝ｉ、ｉ２＝ｉｍｏｄ４であること、又は、
（４）プリコーディング・マトリックス指示情報の値ｉ∈｛０，１，・・・，１５｝が原始Rank 1コードブックでのコードブック索引対（ｉ１，ｉ２）に対応すること、を含み、その中で、ｉ１＝ｉ、ｉ２＝８＋２・（ｉｍｏｄ４）であり、ｉｍｏｄ２はｉを２で割る時の余りを表し、ｉｍｏｄ４はｉを４で割る時の余りを表す。
【００６８】
場合三では、端末設備が確定する必要のあるプリコーディング・マトリックス指示情報が具体的に第一プリコーディング・マトリックス指示情報と第二プリコーディング・マトリックス指示情報を含む場合、端末設備がRI値及びデフォルトの第一プリコーディング・マトリックス指示情報と第二プリコーディング・マトリックス指示情報から構成したプリコーディング・マトリックス指示情報対と原始コードブックでの二つのコードブック索引から構成したコードブック索引対（ｉ１，ｉ２）との対応関係によって、第一プリコーディング・マトリックス指示情報と第二プリコーディング・マトリックス指示情報の値を確定する。
【００６９】
場合四では、端末設備が確定する必要のあるプリコーディング・マトリックス指示情報が具体的に一つのプリコーディング・マトリックス指示情報である場合、端末設備がRI値及びデフォルトのプリコーディング・マトリックス指示情報と原始コードブックでの二つのコードブック索引ｉ１及びｉ２との対応関係によって、プリコーディング・マトリックス指示情報の値を確定する。
【００７０】
場合三と場合四の具体的な対応関係規則について、ここで一々取り上げず、前記対応関係で確定した規則は全部本発明の保護範囲に属する。
【００７１】
指摘すべきことは、前記各種の対応関係がRIの異なる数値の状況の下で採用する可能性のある対応関係に関する説明であることで、具体的な応用場面の中で、前記各対応関係の中から任意に一種の又は多種の対応関係を選択して組合せ設置を行うことができ、具体的な選択差異による技術案調整は本発明の保護範囲に影響を与えない。
【００７２】
手順S103では、端末設備がフィードバックモードに基づいて確定したRI値とプリコーディング・マトリックス指示情報の値を基地局に発送する。
【００７３】
前記プロセスは、本発明の実施形態で提案した一種の信号チャネル状態情報伝送方法の端末設備側の実際の流れであり、次に、本発明の実施形態は更に一種の信号チャネル状態情報の受信方法の基地局側の実際の流れを提供し、その流れ図は図２で示す通りで、具体的に下記の手順を含む。
【００７４】
手順S201では、基地局が端末設備に制御シグナルを発送し、端末設備に、信号チャネル状態情報フィードバックを行うよう通知し、それに信号チャネル状態情報フィードバックに採用するフィードバックモードを通知する。
【００７５】
手順S202では、基地局が受信したRI値とプリコーディング・マトリックス指示情報の値とによって、デフォルトのプリコーディング・マトリックス指示情報と原始コードブックでのコードブック索引との対応関係に基づいて、プリコーディング・マトリックスを確定する。
【００７６】
手順S203では、基地局により受信したRI値とプリコーディング・マトリックス指示情報の値，デフォルトのプリコーディング・マトリックス指示情報と原始コードブックでのコードブック索引との対応関係によって、プリコーディング・マトリックスを確定する。
【００７７】
実際の応用場面の中で、前記手順S102と対応して、本手順の実現プロセスは具体的に下記の四つの場合を含む。
【００７８】
場合一では、当該基地局により受信した端末設備から報告のあるプリコーディング・マトリックス指示情報が具体的に第一プリコーディング・マトリックス指示情報と第二プリコーディング・マトリックス指示情報を含む場合、基地局はRI値及びデフォルトの第一プリコーディング・マトリックス指示情報と第二プリコーディング・マトリックス指示情報と原始コードブックでの二つのコードブック索引ｉ１及びｉ２との対応関係によって、プリコーディング・マトリックスを確定する。
【００７９】
その中で、当該RI値が1である場合、基地局が第一プリコーディング・マトリックス指示情報と第二プリコーディング・マトリックス指示情報の値によってプリコーディング・マトリックスを確定し、根拠とする対応関係が前記手順S102での対応関係の内容説明の場合一での（１）と一致する。
【００８０】
RI値が２である場合、基地局が第一プリコーディング・マトリックス指示情報と第二プリコーディング・マトリックス指示情報の値によってプリコーディング・マトリックスを確定し、根拠とする対応関係が前記手順S102での対応関係の内容説明の場合一での（２）と一致する。
【００８１】
RI値が3である場合、基地局が第一プリコーディング・マトリックス指示情報と第二プリコーディング・マトリックス指示情報との値によってプリコーディング・マトリックスを確定し、根拠とする対応関係が前記手順S102での対応関係の内容説明の場合一での（３）と一致する。
【００８２】
RI値が４である場合、基地局が第一プリコーディング・マトリックス指示情報と第二プリコーディング・マトリックス指示情報の値によってプリコーディング・マトリックスを確定し、根拠とする対応関係が前記手順S102での対応関係の内容説明の場合一での（４）と一致する。
【００８３】
場合二では、基地局により受信した端末設備から報告のあるプリコーディング・マトリックス指示情報が具体的に一つのプリコーディング・マトリックス指示情報である場合、基地局がRI値及びデフォルトのプリコーディング・マトリックス指示情報と原始コードブックでの二つのコードブック索引から構成したコードブック索引対（ｉ１，ｉ２）との対応関係によって、プリコーディング・マトリックスを確定する。
【００８４】
RI値が1である場合、基地局がプリコーディング・マトリックス指示情報の値によってプリコーディング・マトリックスを確定し、根拠とする対応関係が前記手順S102での対応関係の内容説明の場合二と一致する。
【００８５】
場合三では、基地局により受信した端末設備から報告のあるプリコーディング・マトリックス指示情報が具体的に第一プリコーディング・マトリックス指示情報と第二プリコーディング・マトリックス指示情報から構成したプリコーディング・マトリックス指示情報対を含む場合、基地局がRI値及びデフォルトの第一プリコーディング・マトリックス指示情報と第二プリコーディング・マトリックス指示情報から構成したプリコーディング・マトリックス指示情報対と原始コードブックでの二つのコードブック索引から構成したコードブック索引対（ｉ１，ｉ２）との対応関係によって、プリコーディング・マトリックスを確定する。
【００８６】
場合四では、基地局により受信した端末設備から報告のあるプリコーディング・マトリックス指示情報が具体的に一つのプリコーディング・マトリックスである場合、基地局がRI値及びデフォルトのプリコーディング・マトリックス指示情報と原始コードブックでの二つのコードブック索引ｉ１及びｉ２との対応関係によって、プリコーディング・マトリックスを確定する。
【００８７】
同様に、前記各種の対応関係規則について、ここでは、一々取り上げず、前記対応関係で確定した規則は全部、本発明の保護範囲に属する。
【００８８】
指摘すべきことは、前記各種の対応関係がRIの異なる数値の場合の下で採用される可能性のある対応関係に関する説明であることで、具体的な応用場面の中で、前記各対応関係の中から任意に一種の又は多種の対応関係を選択して組合せ設置を行うことができ、具体的な選択差異による技術案の調整は本発明の保護範囲に影響を与えない。
【００８９】
現有技術と比べると、本発明の実施形態は下記の優位性を持つ。
本発明の実施形態の技術案を応用することによって、PUCCH1-1 submode2とPUCCH 2-1フィードバックモードを採用するLTE-Aシステムの中で、8アンテナポートPMIフィードバックが同じサブフレームで報告するPUCCH容量制限でコードブック圧縮を行う必要のある状況に対し、コードブック圧縮後にプリコーディング・マトリックス指示情報又はプリコーディング・マトリックス指示情報対とコードブック索引又はコードブック索引対との対応関係を定義することを通じて、基地局と端末設備との信号チャネル状態情報のフィードバックと受信を実現する。
【００９０】
本発明の実施形態の技術案を実現する為に、本発明の実施形態は、もう一種の端末設備を提案し、その構造図は図３の通りで、具体的に下記を含む。
（１）基地局により発送した制御シグナルを受信し、制御シグナルが端末設備に、信号チャネル状態情報フィードバックを行うよう通知し、それに信号チャネル状態情報フィードバックに採用されるフィードバックモードを通知する受信モジュール31と、
（２）プリコーディング・マトリックス指示情報と原始コードブックでのコードブック索引との対応関係を設置する設置モジュール32と、
（３）圧縮後のプリコーディング・マトリックス集合でRI値とプリコーディング・マトリックスを確定し、それにRI値及び設置モジュール32により設置したプリコーディング・マトリックス指示情報と原始コードブックでのコードブック索引との対応関係によって、相応なプリコーディング・マトリックス指示情報の値を確定する確定モジュール33と、
（４）受信モジュール31により受信した制御シグナルが通知したフィードバックモードに基づいて確定モジュール33により確定したRI値とプリコーディング・マトリックス指示情報の値を基地局に発送する発送モジュール34と、を含む。
【００９１】
具体的な応用場面の中で、確定モジュール33が具体的に下記の通りに応用される。
（１）圧縮後のプリコーディング・マトリックス集合でRI値とプリコーディング・マトリックスを確定し、それに確定する必要のあるプリコーディング・マトリックス指示情報が具体的に第一プリコーディング・マトリックス指示情報と第二プリコーディング・マトリックス指示情報を含む場合、RI値及び設置モジュール32により設置した第一プリコーディング・マトリックス指示情報及び第二プリコーディング・マトリックス指示情報と原始コードブックでの二つのコードブック索引ｉ１及びｉ２との対応関係によって、第一プリコーディング・マトリックス指示情報と第二プリコーディング・マトリックス指示情報の値を確定すること、又は、
（２）圧縮後のプリコーディング・マトリックス集合でRI値とプリコーディング・マトリックスを確定し、それに確定する必要のあるプリコーディング・マトリックス指示情報が具体的に一つのプリコーディング・マトリックス指示情報である場合、RI値及び設置モジュール32により設置したプリコーディング・マトリックス指示情報と原始コードブックでの二つのコードブック索引から構成したコードブック索引対（ｉ１，ｉ２）との対応関係によって、プリコーディング・マトリックス指示情報の値を確定すること、又は、
（３）圧縮後のプリコーディング・マトリックス集合でRI値とプリコーディング・マトリックスを確定し、それに確定する必要のあるプリコーディング・マトリックス指示情報が具体的に第一プリコーディング・マトリックス指示情報と第二プリコーディング・マトリックス指示情報を含む場合、RI値及び設置モジュール32により設置した第一プリコーディング・マトリックス指示情報と第二プリコーディング・マトリックス指示情報から構成したプリコーディング・マトリックス指示情報対と原始コードブックでの二つのコードブック索引から構成したコードブック索引対（ｉ１，ｉ２）との対応関係によって、第一プリコーディング・マトリックス指示情報と第二プリコーディング・マトリックス指示情報の値を確定すること、又は、
（４）圧縮後のプリコーディング・マトリックス集合でRI値とプリコーディング・マトリックスを確定し、それに確定する必要のあるプリコーディング・マトリックス指示情報が具体的に一つのプリコーディング・マトリックス指示情報である場合、RI値及び設置モジュール32により設置したプリコーディング・マトリックス指示情報と原始コードブックでの二つのコードブック索引ｉ１及びｉ２との対応関係によって、プリコーディング・マトリックス指示情報の値を確定すること、に応用される。
【００９２】
もう一方、本発明の実施形態も一種の基地局を提供し、その構造図は図４で示すように、下記の内容を含む。
（１）プリコーディング・マトリックス指示情報と原始コードブックでのコードブック索引との対応関係を設置する設置モジュール41と、
（２）端末設備に制御シグナルを発送し、端末設備に、信号チャネル状態情報フィードバックを行うよう通知し、それに信号チャネル状態情報フィードバックに採用されるフィードバックモードを通知する発送モジュール42と、
（３）モジュール42により通知したフィードバックモード受信端末設備から報告のあるRI値とプリコーディング・マトリックス指示情報の値を発送する受信モジュール43と、
（４）受信モジュール43により受信したRI値とプリコーディング・マトリックス指示情報の値によって、設置モジュール41により設置したプリコーディング・マトリックス指示情報と原始コードブックでのコードブック索引との対応関係に基づいて、プリコーディング・マトリックスを確定する確定モジュール44と、を含む。
【００９３】
具体的な応用場面の中で、確定モジュール44は具体的に下記に応用される。
（１）受信モジュール43により受信した端末設備から報告のあるプリコーディング・マトリックス指示情報が具体的に第一プリコーディング・マトリックス指示情報と第二プリコーディング・マトリックス指示情報を含む場合、RI値及び設置モジュール41により設置した第一プリコーディング・マトリックス指示情報及び第二プリコーディング・マトリックス指示情報と原始コードブックでの二つのコードブック索引ｉ１及びｉ２との対応関係によって、プリコーディング・マトリックスを確定すること、又は、
（２）受信モジュール43により受信した端末設備から報告のあるプリコーディング・マトリックス指示情報が具体的に一つのプリコーディング・マトリックス指示情報である場合、RI値及び設置モジュール41により設置したプリコーディング・マトリックス指示情報と原始コードブックでの二つのコードブック索引から構成したコードブック索引対（ｉ１，ｉ２）との対応関係によって、プリコーディング・マトリックスを確定すること、又は、
（３）受信モジュール43により受信した端末設備から報告のあるプリコーディング・マトリックス指示情報が具体的に第一プリコーディング・マトリックス指示情報と第二プリコーディング・マトリックス指示情報から構成したプリコーディング・マトリックス指示情報対である場合、RI値及び設置モジュール41により設置した第一プリコーディング・マトリックス指示情報と第二プリコーディング・マトリックス指示情報から構成したプリコーディング・マトリックス指示情報対と原始コードブックでの二つのコードブック索引から構成したコードブック索引対（ｉ１，ｉ２）との対応関係によって、プリコーディング・マトリックスを確定すること、又は、
（４）受信モジュール43により受信した端末設備から報告のあるプリコーディング・マトリックス指示情報が具体的に一つのプリコーディング・マトリックスである場合、RI値及び設置モジュール41により設置したプリコーディング・マトリックス指示情報と原始コードブックでの二つのコードブック索引ｉ１及びｉ２との対応関係によって、プリコーディング・マトリックスを確定すること、に応用される。
【００９４】
現有技術と比べると、本発明の実施形態は下記の優位性を有する。
本発明の実施形態の技術案の応用を通じて、PUCCH1-1submode2和PUCCH2-1フィードバックモードを応用するLTE-Aシステムの中で、8アンテナポートPMIフィードバックが同じサブフレームで報告すること及びPUCCH容量制限でコードブック圧縮を行う必要がある状況に対して、コードブック圧縮後のプリコーディング・マトリックス指示情報又はプリコーディング・マトリックス指示情報対とコードブック索引又はコードブック索引対との対応関係を定義することによって、基地局と端末設備との信号チャネル状態情報のフィードバックと受信を実現すること。
【００９５】
前記の実施形態の説明を通じて、本技術分野の技術者は、ハードウェアの方式を運用したり、ソフトウェアの上に必要な通用のハードウェアのプラットフォームを加えたりする方式で本発明の実施形態を実現することができるのを明確に理解できる。このような理解に基づいて、本発明の技術方案をソフトウェア製品という形で表すことができ、当該ソフトウェア製品を永久性記憶媒体（CD-ROM、Uディスク又はポータブルハードディスク等）に記憶することもでき、若干の指令を含んで、一台のコンピューター設備（PC、サーバー又はネットワーク設備など）に本発明の各実施形態の前記方法を実行させる。
【００９６】
本分野の技術者は、添付図面がわずか一つの優先的な実施場面の略図で、添付図面でのモジュール又はフローは必ず本発明の実施形態で必要なものではないと理解してもよい。
【００９７】
本分野の技術者が、次のように理解しても良い、即ち、実施場面での装置のモジュールが実施場面の説明によって実施場面の装置に分布してもいいし、それとも相応な変化を実施して本実施場面と異なる一つ又は幾つかの装置に分布しても良い。前記実施場面のモジュールが一つのモジュールに合併されてもいいし、更に幾つかのモジュールに分解しても良い。
【００９８】
上述本発明の実施形態のシリアルナンバーは説明の便利のためだけで、実施場面の優劣を表示しない。
【００９９】
以上、公開されたものは本発明の幾つかの具体的な実施形態だけであり、本発明はこれに限らず、本技術分野の技術者が想定可能な変化は全部本発明の保護範囲に属すべきである。
【図１】
0005945765.tif 000129
【図２】
0005945765.tif 000130
【図３】
0005945765.tif 000131
【図４】
0005945765.tif 000132